(57)【要約】【課題】無線通信システムにおいてＵＥ（user equipment）がＰＵＣＣＨ（Physical Uplink Control Channel）信号を送受信する方法の提供。【解決手段】方法は、シーケンス情報及びサイクリックシフト情報に基づいてＰＵＣＣＨ信号を生成するステップであって、シーケンス情報は、関連する周波数ホップインデックス、関連するスロット情報及び関連するＩＤ情報に基づいて決定され、サイクリックシフト情報は、関連するスロット情報及び関連するシンボル情報に基づいて決定される、ステップと、ＰＵＣＣＨ信号を基地局に送信するステップと、を含み、ＩＤ情報は、セルＩＤ又は基地局から設定される値として決定され、周波数ホップインデックスは、スロット内周波数ホップ設定に基づいて決定される。【選択図】図１６
2020145741.tif 000002
【特許請求の範囲】
【請求項１】
無線通信システムにおいて端末がＰＵＣＣＨ（Physical Uplink Control Channel）信号を送信する方法において、
シーケンス情報及びサイクリックシフト情報に基づいて前記ＰＵＣＣＨ信号を生成するステップであって、
前記シーケンス情報は、関連する周波数ホップインデックス及び関連するスロット情報に基づいて決定され、
前記サイクリックシフト情報は、前記関連するスロット情報及び関連するシンボル情報に基づいて決定される、ステップと、
前記生成されたＰＵＣＣＨ信号を基地局に送信するステップと、を含み、
前記周波数ホップインデックスは、スロット内周波数ホップ設定に基づいて決定される、方法。
【請求項２】
スロット内で周波数ホッピングが設定されるとき、前記周波数ホップインデックスは、前記スロット内のホップに対して０からＮ（Ｎは自然数）まで順に番号付けされる、請求項１に記載の方法。
【請求項３】
スロット内で周波数ホッピングが設定されないとき、前記周波数ホップインデックスは、０として設定される、請求項１に記載の方法。
【請求項４】
シーケンスホッピングのパターンが適用される絶対的な時間単位は、適用されるニューマロロジー（ｎｕｍｅｒｏｌｏｇｙ）に従って異なるように設定される、請求項１に記載の方法。
【請求項５】
スロットは、１４個のシンボルを含む、請求項１に記載の方法。
【請求項６】
スロットは、スケジューリングの基本単位に対応する、請求項１に記載の方法。
【請求項７】
前記シーケンス情報は、周波数ホップの単位の中で独立に決定される、請求項１に記載の方法。
【請求項８】
前記シーケンス情報は、前記周波数ホップの単位の中で適用されるベースシーケンスホッピングパターンに関する情報である、請求項７に記載の方法。
【請求項９】
前記サイクリックシフト情報は、シンボルの単位の中で独立に決定される、請求項１に記載の方法。
【請求項１０】
前記シンボルの単位は、ＯＦＤＭ（Orthogonal Frequency Division Multiplexing）シンボルの単位に対応する、請求項９に記載の方法。
【請求項１１】
無線通信システムにおいて基地局が端末からＰＵＣＣＨ（Physical Uplink Control Channel）信号を受信する方法において、
前記端末から、シーケンス情報及びサイクリックシフト情報に基づいて生成された前記ＰＵＣＣＨ信号を受信するステップであって、
前記シーケンス情報は、関連する周波数ホップインデックス及び関連するスロット情報に基づいて決定され、
前記サイクリックシフト情報は、前記関連するスロット情報及び関連するシンボル情報に基づいて決定される、ステップと、
前記生成されたＰＵＣＣＨ信号を基地局に送信するステップと、を含み、
前記周波数ホップインデックスは、スロット内周波数ホップ設定に基づいて決定される、方法。
【請求項１２】
無線通信システムにおいてＰＵＣＣＨ（Physical Uplink Control Channel）信号を送信する端末であって、
少なくとも一つのＲＦ（Radio Frequency）モジュールと、
少なくとも一つのプロセッサと、
前記少なくとも一つのプロセッサと動作可能に接続可能であり、命令を格納する少なくとも一つのメモリと、を含み、
前記命令は、実行されたときに、
シーケンス情報及びサイクリックシフト情報に基づいて前記ＰＵＣＣＨ信号を生成するステップであって、
前記シーケンス情報は、関連する周波数ホップインデックス及び関連するスロット情報に基づいて決定され、
前記サイクリックシフト情報は、前記関連するスロット情報及び関連するシンボル情報に基づいて決定される、ステップと、
前記生成されたＰＵＣＣＨ信号を基地局に送信するステップであって、前記周波数ホップインデックスは、スロット内周波数ホップ設定に基づいて決定される、ステップと、を含む動作を、前記少なくとも一つのプロセッサに実行させる、端末。
【発明の詳細な説明】
【技術分野】
【０００１】
以下の説明は無線通信システムに関し、無線通信システムにおいて端末と基地局の間の物理上りリンク制御チャネルを送受信する方法及びそれを支援する装置に関する。
【背景技術】
【０００２】
無線接続システムが音声やデータなどの種々の通信サービスを提供するために広範囲に展開されている。一般に、無線接続システムは利用可能なシステムリソース（帯域幅、送信電力など）を共有して複数のユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
なお、多数の通信機器がより大きな通信容量を要求することにより、既存のＲＡＴ（ｒａｄｉｏ  ａｃｃｅｓｓ  ｔｅｃｈｎｏｌｏｇｙ）に比べて向上したモバイルブロードバンド通信の必要性が高まっている。また、多数の機器及び物を接続していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考えられている。さらに信頼性及び遅延などに敏感なサービス／ＵＥを考慮した通信システムのデザインも考えられている。
【０００４】
このように向上したモバイルブロードバンド通信、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されている。
【発明の概要】
【発明が解決しようとする課題】
【０００５】
本発明の目的は、無線通信システムにおいて端末と基地局の間の物理上りリンク制御チャネルを送受信する方法及びそれを支援する装置を提供することにある。
【０００６】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００７】
本発明は、無線通信システムにおいて端末と基地局の間の物理上りリンク制御チャネルを送受信する方法及びそれを支援する装置を提供する。
【０００８】
本発明の一態様として、無線通信システムにおいて端末が基地局に物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を送信する方法において、１つのスロット内の周波数ホッピング設定有無によって決定される周波数ホップインデックス（ｆｒｅｑｕｅｎｃｙ  ｈｏｐ  ｉｎｄｅｘ）に基づいてシーケンスホッピングのパターンを決定し、該決定されたシーケンスホッピングのパターンが適用される復調参照信号（Ｄｅｍｏｄｕｌａｔｉｏｎ  Ｒｅｆｅｒｅｎｃｅ  Ｓｉｇｎａｌ；ＤＭ−ＲＳ）を含む第１ＰＵＣＣＨ又は該決定されたシーケンスホッピングのパターンが適用される第２ＰＵＣＣＨを送信することを含む、物理上りリンク制御チャネルの送信方法を提案する。
【０００９】
一例として、１つのスロット内の周波数ホッピングが設定される場合、周波数ホップインデックスは１つのスロット内のホップに対して０からＮ（Ｎは自然数）まで順に番号付けされる。
【００１０】
他の例として、１つのスロット内の周波数ホッピングが設定されない場合、周波数ホップインデックスは０に対応する。
【００１１】
またシーケンスホッピングのパターンは、複数のシーケンスグループのうちの１つのシーケンスグループが選択されるシーケンスグループホッピングのパターン、及び特定のシーケンスグループ内の複数のベースシーケンスのうちの１つのベースシーケンスが選択されるベースシーケンスホッピングのパターンの組み合わせに基づいて決定される。
【００１２】
またシーケンスホッピングのパターンは、周波数ホッピングインデックスと共に、さらにスロットインデックスに基づいて決定される。
【００１３】
本発明の他の態様として、無線通信システムにおいて基地局が端末から物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を受信する方法において、端末から特定のシーケンスホッピングのパターンが適用される復調参照信号（Ｄｅｍｏｄｕｌａｔｉｏｎ  Ｒｅｆｅｒｅｎｃｅ  Ｓｉｇｎａｌ；ＤＭ−ＲＳ）を含む第１ＰＵＣＣＨ又は特定のシーケンスホッピングのパターンが適用される第２ＰＵＣＣＨを受信すること含み、特定のシーケンスホッピングのパターンは、１つのスロット内の周波数ホッピング設定有無によって決定される周波数ホップインデックス（ｆｒｅｑｕｅｎｃｙ  ｈｏｐ  ｉｎｄｅｘ）に基づいて決定されることを特徴とする、物理上りリンク制御チャネルの受信方法を提案する。
【００１４】
一例として、１つのスロット内の周波数ホッピングが設定される場合、周波数ホップインデックスは１つのスロット内のホップに対して０からＮ（Ｎは自然数）まで順に番号付けされる。
【００１５】
他の例として、１つのスロット内の周波数ホッピングが設定されない場合、周波数ホップインデックスは０に対応する。
【００１６】
この時、シーケンスホッピングのパターンは、複数のシーケンスグループのうちの１つのシーケンスグループが選択されるシーケンスグループホッピングのパターン、及び特定のシーケンスグループ内の複数のベースシーケンスのうちの１つのベースシーケンスが選択されるベースシーケンスホッピングのパターンの組み合わせに基づいて決定される。
【００１７】
またシーケンスホッピングのパターンは、周波数ホッピングインデックスと共に、さらにスロットインデックスに基づいて決定される。
【００１８】
この場合、基地局は端末に１つのスロット内の周波数ホッピング設定有無を指示する設定情報を送信する。
【００１９】
本発明のさらに他の態様として、無線通信システムにおいて基地局に物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を送信する端末において、受信部と、送信部と、受信部及び送信部に連結されて動作するプロセッサと、を含み、該プロセッサは、１つのスロット内の周波数ホッピング設定有無によって決定される周波数ホップインデックス（ｆｒｅｑｕｅｎｃｙ  ｈｏｐ  ｉｎｄｅｘ）に基づいてシーケンスホッピングのパターンを決定し、該決定されたシーケンスホッピングのパターンが適用される復調参照信号（Ｄｅｍｏｄｕｌａｔｉｏｎ  Ｒｅｆｅｒｅｎｃｅ  Ｓｉｇｎａｌ；ＤＭ−ＲＳ）を含む第１ＰＵＣＣＨ又は該決定されたシーケンスホッピングのパターンが適用される第２ＰＵＣＣＨを送信するように構成される、端末を提案する。
【００２０】
本発明のさらに他の態様として、無線通信システムにおいて端末から物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を受信する基地局において、受信部と、送信部と、受信部及び送信部に連結されて動作するプロセッサと、を含み、該プロセッサは、端末から特定のシーケンスホッピングのパターンが適用される復調参照信号（Ｄｅｍｏｄｕｌａｔｉｏｎ  Ｒｅｆｅｒｅｎｃｅ  Ｓｉｇｎａｌ；ＤＭ−ＲＳ）を含む第１ＰＵＣＣＨ又は特定のシーケンスホッピングのパターンが適用される第２ＰＵＣＣＨを受信するように構成され、特定のシーケンスホッピングのパターンは、１つのスロット内の周波数ホッピング設定有無によって決定される周波数ホップインデックス（ｆｒｅｑｕｅｎｃｙ  ｈｏｐ  ｉｎｄｅｘ）に基づいて決定されることを特徴とする、基地局を提案する。
【００２１】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００２２】
本発明の実施例によれば、次のような効果がある。
【００２３】
本発明によれば、ＰＵＣＣＨ又はＰＵＣＣＨと共に送信されるＤＭ−ＲＳに適用されるシーケンスが周波数ホッピング有無及び／又はスロットインデックスに基づいて様々なホッピングのパターンを有することができる。
【００２４】
これにより、本発明によれば、隣接するセルの間の干渉ランダム化（ｉｎｔｅｒｆｅｒｅｎｃｅ  ｒａｎｄｏｍｉｚａｔｉｏｎ）により隣接セルの干渉を緩和することができる。
【００２５】
本発明の実施例から得られる効果は、以上で言及した効果に限定されず、言及していない他の効果は、以下の本発明の実施例に関する記載から、本発明の属する技術の分野における通常の知識を有する者にとって明確に導出され理解されるであろう。即ち、本発明を実施することに伴う意図していない効果も、本発明の実施例から当該技術の分野における通常の知識を有する者によって導出され得る。
【図面の簡単な説明】
【００２６】
以下に添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ  ｎｕｍｅｒａｌｓ）は構造的構成要素（ｓｔｒｕｃｔｕｒａｌ  ｅｌｅｍｅｎｔｓ）を意味する。
【図１】物理チャネル及びそれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ  ｓｕｂｆｒａｍｅ  ｓｔｒｕｃｔｕｒｅ）を示す図である。
【図７】ＴＸＲＵとアンテナ要素の代表的な連結方式を示す図である。
【図８】ＴＸＲＵとアンテナ要素の代表的な連結方式を示す図である。
【図９】本発明の一例によるＴＸＲＵ及び物理的アンテナの観点におけるハイブリッドビームフォーミング構造を簡単に示す図である。
【図１０】本発明の一例による下りリンク（Ｄｏｗｎｌｉｎｋ、ＤＬ）の送信過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスウィーピング（Ｂｅａｍ  ｓｗｅｅｐｉｎｇ）動作を簡単に示す図である。
【図１１】本発明による様々なシーケンス／シーケンスグループ／ＣＳホッピングの支援方法を簡単に示す図である。
【図１２】本発明による様々なシーケンス／シーケンスグループ／ＣＳホッピングの支援方法を簡単に示す図である。
【図１３】本発明による様々なシーケンス／シーケンスグループ／ＣＳホッピングの支援方法を簡単に示す図である。
【図１４】本発明による様々なシーケンス／シーケンスグループ／ＣＳホッピングの支援方法を簡単に示す図である。
【図１５】本発明による様々なシーケンス／シーケンスグループ／ＣＳホッピングの支援方法を簡単に示す図である。
【図１６】本発明による端末のＰＵＣＣＨの送信方法を示す流れ図である。
【図１７】提案する実施例を具現化できる端末及び基地局の構成を示す図である。
【発明を実施するための形態】
【００２７】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００２８】
図面に関する説明において、本発明の要旨を曖昧にさせ得る手順又は段階などは記述を省略し、当業者のレベルで理解可能な程度の手順又は段階も記述を省略する。
【００２９】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具現化することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３０】
この明細書において本発明の実施例は基地局と移動局の間のデータ送受信関係を中心に説明されている。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００３１】
即ち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に言い換えることができる。
【００３２】
また、本発明の実施例において、端末（Ｔｅｒｍｉｎａｌ）は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に言い換えることができる。
【００３３】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３４】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００３５】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３６】
また、本発明の実施例で使われる特定の用語は本発明の理解し易さのために提供されるものであり、このような特定の用語の使用は本発明の技術的思想を逸脱しない範囲で他の形態に変更されてもよい。
【００３７】
以下、本発明の実施例を利用可能な無線接続システムの一例として３ＧＰＰ  ＬＴＥ／ＬＴＥ−Ａシステムだけではなく、３ＧＰＰ  ＮＲシステムについて説明する。
【００３８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００３９】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現化することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現化することができる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現化することができる。
【００４０】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ  ＬＴＥシステムを改良したシステムである。
【００４１】
本発明の技術的特徴に関する説明を明確にするために、本発明の実施例は３ＧＰＰ  ＬＴＥ／ＬＴＥ−Ａシステムだけではなく、３ＧＰＰ  ＮＲシステムを中心に述べられるが、ＩＥＥＥ  ８０２．１６ｅ／ｍシステムなどに適用されてもよい。
【００４２】
１．３ＧＰＰ  ＬＴＥ／ＬＴＥ  Ａシステム
【００４３】
１．１．物理チャネル及びこれを用いた信号送受信方法
【００４４】
無線接続システムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャネルが存在する。
【００４５】
図１は、本発明の実施例で使用可能な物理チャネル及びそれらを用いた信号送信方法を説明するための図である。
【００４６】
電源が消えた状態で電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局から主同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び副同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００４７】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００４８】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００４９】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に対応する物理下りリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【００５０】
その後、端末は基地局への接続を完了するために、段階Ｓ１３〜段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ１３）、物理下りリンク制御チャネル及びそれに対応する物理下りリンク共有チャネルでプリアンブルに対する応答メッセージを受信することができる（Ｓ１４）。競合ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５１】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５２】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５３】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５４】
１．２．リソースの構造
【００５５】
図２は、本発明の実施例で用いられる無線フレームの構造を示す図である。
【００５６】
図２（ａ）にはタイプ１フレーム構造（ｆｒａｍｅ  ｓｔｒｕｃｔｕｒｅ  ｔｙｐｅ１）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも半二重（ｈａｌｆ  ｄｕｐｌｅｘ）ＦＤＤシステムにも適用可能である。
【００５７】
１無線フレーム（ｒａｄｉｏ  ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム（ｒａｄｉｏ  ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００５８】
１スロットは時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは下りリンクにおいてＯＦＤＭＡを用いるので、ＯＦＤＭシンボルは１シンボル区間（ｓｙｍｂｏｌ  ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ  ｂｌｏｃｋ）はリソース割り当て単位であり、１つのスロットで複数の連続した副搬送波（ｓｕｂｃａｒｒｉｅｒ）を含む。
【００５９】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００６０】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６１】
図２（ｂ）にはタイプ２フレーム構造（ｆｒａｍｅ  ｓｔｒｕｃｔｕｒｅ  ｔｙｐｅ２）を示す。タイプ２フレーム構造はＴＤＤシステムに適用される。１無線フレーム（ｒａｄｉｏ  ｆｒａｍｅ）はＴｆ＝３０７２００＊Ｔｓ＝１０ｍｓの長さを有し、１５３６００＊Ｔｓ＝５ｍｓの長さを有する２個のハーフフレーム（ｈａｌｆ−ｆｒａｍｅ）で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６２】
タイプ２フレームにはＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末における初期セル探索、同期化又はチャネル推定に用いられる。ＵｐＰＴＳは、基地局におけるチャネル推定と端末との上り伝送同期化に用いられる。保護区間は、上りリンクと下りリンクとの間に下りリンク信号の多重経路遅延によって上りリンクにおいて生じる干渉を除去するための区間である。
【００６３】
次の表１は、特別フレームの構成（ＤｗＰＴＳ／ＧＰ／ＵｐＰＴＳの長さ）を表す。
【００６４】
【表１】
2020145741.tif 000003
【００６５】
またＬＴＥ  Ｒｅｌ−１３システムにおいては、特別フレームの構成（ＤｗＰＴＳ／ＧＰ／ＵｐＰＴＳの長さ）が下記の表のようにＸ（追加的なＳＣ−ＦＤＭＡのシンボルの数、上位層パラメータｓｒｓ−ＵｐＰｔｓＡｄｄにより提供され、パラメータが設定されないと、Ｘは０である）を考慮して設定される構成が新しく追加されており、ＬＴＥ  Ｒｅｌ−１４システムにおいては、Ｓｐｅｃｉａｌ  ｓｕｂｆｒａｍｅ  ｃｏｎｆｉｇｕｒａｔｉｏｎ＃１０が新しく追加されている。ここで、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛３，４，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛２，３，５，６｝に対して２つの追加ＵｐＰＴＳ  ＳＣ−ＦＤＭＡシンボルが設定されることを期待しない。さらに、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛１，２，３，４，６，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛１，２，３，５，６｝に対して４つの追加ＵｐＰＴＳ  ＳＣ−ＦＤＭＡシンボルが設定されることを期待しない。（Ｔｈｅ  ＵＥ  ｉｓ  ｎｏｔ  ｅｘｐｅｃｔｅｄ  ｔｏ  ｂｅ  ｃｏｎｆｉｇｕｒｅｄ  ｗｉｔｈ  ２  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛３，４，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ  ａｎｄ  ４  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛１，２，３，４，６，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛１，２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ）
【００６６】
【表２】
2020145741.tif 000004
【００６７】
図３は、本発明の実施例で利用可能な下りリンクスロットに対するリソースグリッド（ｒｅｓｏｕｒｃｅ  ｇｒｉｄ）を例示する図である。
【００６８】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００６９】
リソースグリッド上で各要素（ｅｌｅｍｅｎｔ）をリソース要素（ｒｅｓｏｕｒｃｅ  ｅｌｅｍｅｎｔ）といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。
【００７０】
図４には、本発明の実施例で利用可能な上りリンクサブフレームの構造を示す。
【００７１】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界（ｓｌｏｔ  ｂｏｕｎｄａｒｙ）で周波数ホッピング（ｆｒｅｑｕｅｎｃｙ  ｈｏｐｐｉｎｇ）する、という。
【００７２】
図５は、本発明の実施例で利用可能な下りリンクサブフレームの構造を示す図である。
【００７３】
図５を参照すると、サブフレームにおける一番目のスロットにおいてＯＦＤＭシンボルインデックス０から最大で３個までのＯＦＤＭシンボルが、制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられる下りリンク制御チャネルの例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７４】
ＰＣＦＩＣＨはサブフレームの一番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００７５】
１．３．ＣＳＩフィードバック
【００７６】
３ＧＰＰ  ＬＴＥ又はＬＴＥ−Ａシステムでは、ユーザ機器（ＵＥ）がチャネル状態情報（ＣＳＩ）を基地局（ＢＳ又はｅＮＢ）に報告するように定義されている。ここで、チャネル状態情報（ＣＳＩ）は、ＵＥとアンテナポートとの間に形成される無線チャネル（又は、リンク）の品質を示す情報を総称する。
【００７７】
例えば、チャネル状態情報（ＣＳＩ）は、ランク指示子（ｒａｎｋ  ｉｎｄｉｃａｔｏｒ，ＲＩ）、プリコーディング行列指示子（ｐｒｅｃｏｄｉｎｇ  ｍａｔｒｉｘ  ｉｎｄｉｃａｔｏｒ，ＰＭＩ）、チャネル品質指示子（ｃｈａｎｎｅｌ  ｑｕａｌｉｔｙ  ｉｎｄｉｃａｔｏｒ，ＣＱＩ）などを含む。
【００７８】
ここで、ＲＩは当該チャネルのランク（ｒａｎｋ）情報を示し、これはＵＥが同一の時間−周波数リソースを介して受信するストリーム数を意味する。この値は、チャネルの長期フェーディング（Ｌｏｎｇ  Ｔｅｒｍ  Ｆａｄｉｎｇ）により従属されて決定される。次いで、通常、ＲＩはＰＭＩ、ＣＱＩより長い周期でＵＥによってＢＳにフィードバックされる。
【００７９】
ＰＭＩはチャネル空間特性を反映した値であって、ＳＩＮＲなどのメトリック（ｍｅｔｒｉｃ）を基準としてＵＥが選好するプリコーディングインデックスを示す。
【００８０】
ＣＱＩはチャネルの強度を示す値であって、通常、ＢＳがＰＭＩを用いた時に得られる受信ＳＩＮＲを意味する。
【００８１】
３ＧＰＰ  ＬＴＥ又はＬＴＥ−Ａシステムにおいて、基地局は複数のＣＳＩプロセスをＵＥに設定し、ＵＥから各プロセスに対するＣＳＩの報告を受ける。ここで、ＣＳＩプロセスは、基地局からの信号品質の特定のためのＣＳＩ−ＲＳと干渉測定のためのＣＳＩ干渉測定（ＣＳＩ−ｉｎｔｅｒｆｅｒｅｎｃｅ  ｍｅａｓｕｒｅｍｅｎｔ，ＣＳＩ−ＩＭ）リソースで構成される。
【００８２】
１．４．ＲＲＭ測定
【００８３】
ＬＴＥシステムでは、電力制御（Ｐｏｗｅｒ  ｃｏｎｔｒｏｌ）、スケジューリング（Ｓｃｈｅｄｕｌｉｎｇ）、セル検索（Ｃｅｌｌ  ｓｅａｒｃｈ）、セル再選択（Ｃｅｌｌ  ｒｅｓｅｌｅｃｔｉｏｎ）、ハンドオーバー（Ｈａｎｄｏｖｅｒ）、ラジオリンク又は接続モニタリング（Ｒａｄｉｏ  ｌｉｎｋ  ｏｒ  Ｃｏｎｎｅｃｔｉｏｎ  ｍｏｎｉｔｏｒｉｎｇ）、接続確立／再確立（Ｃｏｎｎｅｃｔｉｏｎ  ｅｓｔａｂｌｉｓｈ／ｒｅ−ｅｓｔａｂｌｉｓｈ）などを含むＲＲＭ（Ｒａｄｉｏ  Ｒｅｓｏｕｒｃｅ  Ｍａｎａｇｅｍｅｎｔ）動作を支援する。この時、サービングセルは端末にＲＲＭ動作を行うための測定値であるＲＲＭ測定（ｍｅａｓｕｒｅｍｅｎｔ）情報を要求することができる。代表的な情報として、ＬＴＥシステムにおいて端末は各セルに対するセル検索（Ｃｅｌｌ  ｓｅａｒｃｈ）情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定して報告することができる。具体的には、ＬＴＥシステムにおいて端末はサービングセルからＲＲＭ測定のための上位層信号として「ｍｅａｓＣｏｎｆｉｇ」が伝達され、端末はこの「ｍｅａｓＣｏｎｆｉｇ」の情報に従ってＲＳＲＰ又はＲＳＲＱを測定する。
【００８４】
ここで、ＬＴＥシステムにおいて定義するＲＳＲＰ、ＲＳＲＱ、ＲＳＳＩは、以下のように定義される。
【００８５】
まず、ＲＳＲＰは考慮される測定周波数帯域内のセル特定の参照信号を送信するリソース要素の電力分布（ｐｏｗｅｒ  ｃｏｎｔｒｉｂｕｔｉｏｎ、［Ｗ］単位）の線形平均で定義される。（Ｒｅｆｅｒｅｎｃｅ  ｓｉｇｎａｌ  ｒｅｃｅｉｖｅｄ  ｐｏｗｅｒ  （ＲＳＲＰ）,  ｉｓ  ｄｅｆｉｎｅｄ  ａｓ  ｔｈｅ  ｌｉｎｅａｒ  ａｖｅｒａｇｅ    ｏｖｅｒ  ｔｈｅ  ｐｏｗｅｒ  ｃｏｎｔｒｉｂｕｔｉｏｎｓ  （ｉｎ  [Ｗ]）  ｏｆ  ｔｈｅ  ｒｅｓｏｕｒｃｅ  ｅｌｅｍｅｎｔｓ  ｔｈａｔ  ｃａｒｒｙ  ｃｅｌｌ−ｓｐｅｃｉｆｉｃ  ｒｅｆｅｒｅｎｃｅ  ｓｉｇｎａｌｓ  ｗｉｔｈｉｎ  ｔｈｅ  ｃｏｎｓｉｄｅｒｅｄ  ｍｅａｓｕｒｅｍｅｎｔ  ｆｒｅｑｕｅｎｃｙ  ｂａｎｄｗｉｄｔｈ．）一例として、ＲＳＲＰ決定のためにセル特定の参照信号Ｒ０が活用できる。（Ｆｏｒ  ＲＳＲＰ  ｄｅｔｅｒｍｉｎａｔｉｏｎ  ｔｈｅ  ｃｅｌｌ−ｓｐｅｃｉｆｉｃ  ｒｅｆｅｒｅｎｃｅ  ｓｉｇｎａｌｓ  Ｒ０  ｓｈａｌｌ  ｂｅ  ｕｓｅｄ．）仮に、ＵＥがセル特定の参照信号Ｒ１が利用可能であると検出する場合、ＵＥはＲ１をさらに用いてＲＳＲＰを決定する。（Ｉｆ  ｔｈｅ  ＵＥ  ｃａｎ  ｒｅｌｉａｂｌｙ  ｄｅｔｅｃｔ  ｔｈａｔ  Ｒ１  ｉｓ  ａｖａｉｌａｂｌｅ  ｉｔ  ｍａｙ  ｕｓｅ  Ｒ１  ｉｎ  ａｄｄｉｔｉｏｎ  ｔｏ  Ｒ０  ｔｏ  ｄｅｔｅｒｍｉｎｅ  ＲＳＲＰ．）
【００８６】
ＲＳＲＰのための参照ポイントは、ＵＥのアンテナコネクターとなり得る。（Ｔｈｅ  ｒｅｆｅｒｅｎｃｅ  ｐｏｉｎｔ  ｆｏｒ  ｔｈｅ  ＲＳＲＰ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００８７】
仮に、ＵＥが受信器ダイバーシティを用いる場合、報告される値は個別のダイバーシティブランチに対応するＲＳＲＰより小さくてはならない。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＲＳＲＰ  ｏｆ  ａｎｙ  ｏｆ  ｔｈｅ  ｉｎｄｉｖｉｄｕａｌ  ｄｉｖｅｒｓｉｔｙ  ｂｒａｎｃｈｅｓ．）
【００８８】
次いで、ＮがＥ−ＵＴＲＡ搬送波ＲＳＳＩ測定帯域幅のＲＢの数であるとき、ＲＳＲＱはＥ−ＵＴＲＡ搬送波ＲＳＳＩに対するＲＳＲＰの比率として、Ｎ＊ＲＳＲＰ／（Ｅ−ＵＴＲＡ  ｃａｒｒｉｅｒ  ＲＳＳＩ）と定義される。（Ｒｅｆｅｒｅｎｃｅ  Ｓｉｇｎａｌ  Ｒｅｃｅｉｖｅｄ  Ｑｕａｌｉｔｙ  （ＲＳＲＱ）  ｉｓ  ｄｅｆｉｎｅｄ  ａｓ  ｔｈｅ  ｒａｔｉｏ  ＮかけるＲＳＲＰ／（Ｅ−ＵＴＲＡ  ｃａｒｒｉｅｒ  ＲＳＳＩ）,  ｗｈｅｒｅ  Ｎ  ｉｓ  ｔｈｅ  ｎｕｍｂｅｒ  ｏｆ  ＲＢ’ｓ  ｏｆ  ｔｈｅ  Ｅ−ＵＴＲＡ  ｃａｒｒｉｅｒ  ＲＳＳＩ  ｍｅａｓｕｒｅｍｅｎｔ  ｂａｎｄｗｉｄｔｈ．）この測定値の分母及び分子は、リソースブロックの同一のセットによって決定される。（Ｔｈｅ  ｍｅａｓｕｒｅｍｅｎｔｓ  ｉｎ  ｔｈｅ  ｎｕｍｅｒａｔｏｒ  ａｎｄ  ｄｅｎｏｍｉｎａｔｏｒ  ｓｈａｌｌ  ｂｅ  ｍａｄｅ  ｏｖｅｒ  ｔｈｅ  ｓａｍｅ  ｓｅｔ  ｏｆ  ｒｅｓｏｕｒｃｅ  ｂｌｏｃｋｓ．）
【００８９】
Ｅ−ＵＴＲＡ搬送波ＲＳＳＩは共同チャネル（ｃｏ−ｃｈａｎｎｅｌ）サービング及び非サービングセル、隣接チャネルの干渉、熱雑音などを含む全てのソースからの受信信号に対して、Ｎ個のリソースブロックにわたって、測定帯域幅でアンテナポート０に対する参照シンボルを含むＯＦＤＭシンボルのみで端末によって測定された受信全電力（［Ｗ］単位）の線形平均を含む。（Ｅ−ＵＴＲＡ  Ｃａｒｒｉｅｒ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）,  ｃｏｍｐｒｉｓｅｓ  ｔｈｅ  ｌｉｎｅａｒ  ａｖｅｒａｇｅ  ｏｆ  ｔｈｅ  ｔｏｔａｌ  ｒｅｃｅｉｖｅｄ  ｐｏｗｅｒ  （ｉｎ  [Ｗ]）  ｏｂｓｅｒｖｅｄ  ｏｎｌｙ  ｉｎ  ＯＦＤＭ  ｓｙｍｂｏｌｓ  ｃｏｎｔａｉｎｉｎｇ  ｒｅｆｅｒｅｎｃｅ  ｓｙｍｂｏｌｓ  ｆｏｒ  ａｎｔｅｎｎａ  ｐｏｒｔ  ０,  ｉｎ  ｔｈｅ  ｍｅａｓｕｒｅｍｅｎｔ  ｂａｎｄｗｉｄｔｈ,  ｏｖｅｒ  Ｎ  ｎｕｍｂｅｒ  ｏｆ  ｒｅｓｏｕｒｃｅ  ｂｌｏｃｋｓ  ｂｙ  ｔｈｅ  ＵＥ  ｆｒｏｍ  ａｌｌ  ｓｏｕｒｃｅｓ,  ｉｎｃｌｕｄｉｎｇ  ｃｏ−ｃｈａｎｎｅｌ  ＳＥＲＶＩＮＧ  ａｎｄ  ｎｏｎ−ＳＥＲＶＩＮＧ  ｃｅｌｌｓ,  ａｄｊａｃｅｎｔ  ｃｈａｎｎｅｌ  ｉｎｔｅｒｆｅｒｅｎｃｅ,  ｔｈｅｒｍａｌ  ｎｏｉｓｅ  ｅｔｃ．）仮に、上位層シグナリングがＲＳＲＱ測定のためにあるサブフレームを指示した場合、指示されたサブフレームにおける全てのＯＦＤＭシンボルに対してＲＳＳＩが測定される。（Ｉｆ  ｈｉｇｈｅｒ−ｌａｙｅｒ  ｓｉｇｎａｌｌｉｎｇ  ｉｎｄｉｃａｔｅｓ  ｃｅｒｔａｉｎ  ｓｕｂｆｒａｍｅｓ  ｆｏｒ  ｐｅｒｆｏｒｍｉｎｇ  ＲＳＲＱ  ｍｅａｓｕｒｅｍｅｎｔｓ,  ｔｈｅｎ  ＲＳＳＩ  iｓ  ｍｅａｓｕｒｅｄ  ｏｖｅｒ  ａｌｌ  ＯＦＤＭ  ｓｙｍｂｏｌｓ  ｉｎ  ｔｈｅ  ｉｎｄｉｃａｔｅｄ  ｓｕｂｆｒａｍｅｓ．）
【００９０】
ＲＳＲＱのための参照ポイントは、ＵＥのアンテナコネクターになり得る。（Ｔｈｅ  ｒｅｆｅｒｅｎｃｅ  ｐｏｉｎｔ  ｆｏｒ  ｔｈｅ  ＲＳＲＱ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００９１】
仮に、ＵＥが受信機ダイバーシティを用いる場合、報告される値は個別のダイバーシティブランチに対応するＲＳＲＱより小さくてはならない。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＲＳＲＱ  ｏｆ  ａｎｙ  ｏｆ  ｔｈｅ  ｉｎｄｉｖｉｄｕａｌ  ｄｉｖｅｒｓｉｔｙ  ｂｒａｎｃｈｅｓ．）
【００９２】
次いで、ＲＳＳＩは受信器パルス状のフィルターによって定義された帯域幅内の熱雑音及び受信器から生成された雑音を含む受信された広帯域電力で定義される。（Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｉｓ  ｄｅｆｉｎｅｄ  ａｓ  ｔｈｅ  ｒｅｃｅｉｖｅｄ  ｗｉｄｅ  ｂａｎｄ  ｐｏｗｅｒ,  ｉｎｃｌｕｄｉｎｇ  ｔｈｅｒｍａｌ  ｎｏｉｓｅ  ａｎｄ  ｎｏｉｓｅ  ｇｅｎｅｒａｔｅｄ  ｉｎ  ｔｈｅ  ｒｅｃｅｉｖｅｒ,  ｗｉｔｈｉｎ  ｔｈｅ  ｂａｎｄｗｉｄｔｈ  ｄｅｆｉｎｅｄ  ｂｙ  ｔｈｅ  ｒｅｃｅｉｖｅｒ  ｐｕｌｓｅ  ｓｈａｐｉｎｇ  ｆｉｌｔｅｒ．）
【００９３】
測定のための参照ポイントは、ＵＥのアンテナコネクターになり得る。（Ｔｈｅ  ｒｅｆｅｒｅｎｃｅ  ｐｏｉｎｔ  ｆｏｒ  ｔｈｅ  ｍｅａｓｕｒｅｍｅｎｔ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００９４】
仮に、ＵＥが受信器ダイバーシティを用いる場合、報告される値は個別のダイバーシティブランチに対応するＵＴＲＡ搬送波ＲＳＳＩより小さくてはならない。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＵＴＲＡ  ｃａｒｒｉｅｒ  ＲＳＳＩ  ｏｆ  ａｎｙ  ｏｆ  ｔｈｅ  ｉｎｄｉｖｉｄｕａｌ  ｒｅｃｅｉｖｅ  ａｎｔｅｎｎａ  ｂｒａｎｃｈｅｓ．）
【００９５】
上記の定義に従って、ＬＴＥシステムにおいて動作する端末は、周波数間の測定（Ｉｎｔｒａ−ｆｒｅｑｕｅｎｃｙ  ｍｅａｓｕｒｅｍｅｎｔ）の場合、ＳＩＢ３（ｓｙｓｔｅｍ  ｉｎｆｏｒｍａｔｉｏｎ  ｂｌｏｃｋ  ｔｙｐｅ  ３）から送信される許容された測定帯域幅（Ａｌｌｏｗｅｄ  ｍｅａｓｕｒｅｍｅｎｔ  ｂａｎｄｗｉｄｔｈ）関連のＩＥ（ｉｎｆｏｒｍａｔｉｏｎ  ｅｌｅｍｅｎｔ）を介して指示される帯域幅でＲＳＲＰを測定することができる。また、周波数内の測定（Ｉｎｔｅｒ−ｆｒｅｑｕｅｎｃｙ  ｍｅａｓｕｒｅｍｅｎｔ）である場合、端末はＳＩＢ５から送信される許容された測定帯域幅を介して指示された６、１５、２５、５０、７５、１００ＲＢ（ｒｅｓｏｕｒｃｅ  ｂｌｏｃｋ）のうち１つに対応する帯域幅でＲＳＲＰを測定することができる。また、上述したようなＩＥがない場合、端末はデフォルト動作として全体ＤＬ（ｄｏｗｎｌｉｎｋ）システムの周波数帯域でＲＳＲＰを測定することができる。
【００９６】
この時、端末が許容された測定帯域幅に対する情報を受信する場合、端末は当該値を最大の測定帯域幅（ｍａｘｉｍｕｍ  ｍｅａｓｕｒｅｍｅｎｔ  ｂａｎｄｗｉｄｔｈ）として当該値においてＲＳＲＰの値を自由に測定することができる。但し、サービングセルがＷＢ−ＲＳＲＱと定義されるＩＥを端末に送信して、許容された測定帯域幅を５０ＲＢ以上に設定する場合、端末は許容された測定帯域幅に対するＲＳＲＰ値を全て算出する必要がある。一方、端末はＲＳＳＩを測定するとき、ＲＳＳＩ帯域幅の定義に従って端末の受信機が有する周波数帯域を用いてＲＳＳＩを測定する。
【００９７】
２．新しい無線接続技術（Ｎｅｗ  Ｒａｄｉｏ  Ａｃｃｅｓｓ  Ｔｅｃｈｎｏｌｏｇｙ）システム
【００９８】
多数の通信機器がより大きな通信容量を要求することにより、既存の無線接続技術（ｒａｄｉｏ  ａｃｃｅｓｓ  ｔｅｃｈｎｏｌｏｇｙ、ＲＡＴ）に比べて向上した端末広帯域（Ｍｏｂｉｌｅ  Ｂｒｏａｄｂａｎｄ）通信の必要性が高まっている。また多数の機器及び物を接続していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）も必要となっている。さらに信頼性及び遅延などに敏感なサービス／ＵＥを考慮した通信システムのデザインが提示されている。
【００９９】
このように向上した端末広帯域通信（Ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｌｂｅ  ａｎｄ  Ｌｏｗ  Ｌａｔｅｎｃｙ  Ｃｏｍｍｕｎｉｃａｔｉｏｎ）などを考慮した新しい無線接続技術であって、新しい無線接続技術システムが提案されている。以下、本発明では便宜上、該当技術をＮｅｗ  ＲＡＴ又はＮＲ（Ｎｅｗ  Ｒａｄｉｏ）と称する。
【０１００】
２．１．ニューマロロジー（Ｎｕｍｅｒｉｏｌｏｇｉｅｓ）
【０１０１】
本発明が適用可能なＮＲシステムにおいては、以下の表のような様々なＯＦＤＭニューマロロジーが支援されている。この時、搬送波帯域幅部分（ｃａｒｒｉｅｒ  ｂａｎｄｗｉｄｔｈ  ｐａｒｔ）ごとのμ及びサイクリックプレフィックス（ｃｙｃｌｉｃ  ｐｒｅｆｉｘ）情報は、下りリンク（ＤＬ）又は上りリンク（ＵＬ）ごとに各々シグナリングされる。一例として、下りリンク搬送波帯域幅部分（ｄｏｗｎｌｉｎｋ  ｃａｒｒｉｅｒ  ｂａｎｄｗｉｄｔｈ  ｐａｒｔ）のためのμ及びサイクリックプレフィックス（ｃｙｃｌｉｃ  ｐｒｅｆｉｘ）情報は、上位層シグナリングＤＬ−ＢＷＰ−ｍｕ及びＤＬ−ＭＷＰ−ｃｐを通じてシグナリングされる。他の例として、上りリンク搬送波帯域幅部分（ｕｐｌｉｎｋ  ｃａｒｒｉｅｒ  ｂａｎｄｗｉｄｔｈ  ｐａｒｔ）のためのμ及びサイクリックプレフィックス（ｃｙｃｌｉｃ  ｐｒｅｆｉｘ）情報は、上位層シグナリングＵＬ−ＢＷＰ−ｍｕ及びＵＬ−ＭＷＰ−ｃｐを通じてシグナリングされる。
【０１０２】
【表３】
2020145741.tif 000005
【０１０３】
２．２．フレーム構造
【０１０４】
下りリンク及び上りリンクの伝送は１０ｍｓの長さのフレームで構成される。フレームは１ｍｓの長さの１０個のサブフレームで構成される。この時、各々のサブフレームごとに連続するＯＦＤＭのシンボルの数は
2020145741.tif 000006
である。
【０１０５】
各々のフレームは２つの同じサイズのハーフフレーム（ｈａｌｆ−ｆｒａｍｅ）で構成される。この時、各々のハーフフレームはサブフレーム０−４及びサブフレーム５−９で構成される。
【０１０６】
副搬送波間隔（ｓｕｂｃａｒｒｉｅｒ  ｓｐａｃｉｎｇ）μに対して、スロットは１つのサブフレーム内において昇順に
2020145741.tif 000007
のようにナンバリングされ、１つのフレーム内において昇順に
2020145741.tif 000008
のようにナンバリングされる。この時、１つのスロット内に連続するＯＦＤＭのシンボルの数
2020145741.tif 000009
は、サイクリックプレフィックスによって以下の表のように決定される。１つのサブフレーム内の開始スロット
2020145741.tif 000010
は、同じサブフレーム内の開始ＯＦＤＭのシンボル
2020145741.tif 000011
と時間の次元で整列されている（ａｌｉｇｎｅｄ）。以下の表４は一般サイクリックプレフィックス（ｎｏｒｍａｌ  ｃｙｃｌｉｃ  ｐｒｅｆｉｘ）のためのスロットごと／フレームごと／サブフレームごとのＯＦＤＭのシンボルの数を示し、表５は拡張されたサイクリックプレフィックス（ｅｘｔｅｎｄｅｄ  ｃｙｃｌｉｃ  ｐｒｅｆｉｘ）のためのスロットごと／フレームごと／サブフレームごとのＯＦＤＭのシンボルの数を示す。
【０１０７】
【表４】
2020145741.tif 000012
【０１０８】
【表５】
2020145741.tif 000013
【０１０９】
本発明が適用可能なＮＲシステムにおいては、上記のようなスロット構造であって、セルフスロット構造（Ｓｅｌｆ−Ｃｏｎｔａｉｎｅｄ  ｓｕｂｆｒａｍｅ  ｓｔｒｕｃｔｕｒｅ）が適用されている。
【０１１０】
図６は本発明に適用可能なセルフサブフレーム構造（Ｓｅｌｆ−Ｃｏｎｔａｉｎｅｄ  ｓｕｂｆｒａｍｅ  ｓｔｒｕｃｔｕｒｅ）を示す図である。
【０１１１】
図６において、斜線領域（例えば、ｓｙｍｂｏｌ  ｉｎｄｅｘ＝０）は下りリンク制御（ｄｏｗｎｌｉｎｋ  ｃｏｎｔｒｏｌ）領域を示し、黒色領域（例えば、ｓｙｍｂｏｌ  ｉｎｄｅｘ＝１３）は上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は下りリンクデータ伝送又は上りリンクデータ伝送のために使用される。
【０１１２】
このような構造により基地局及びＵＥは１つのスロット内でＤＬ伝送とＵＬ伝送を順次に行うことができ、１つのスロット内でＤＬデータを送受信し、これに対するＵＬ  ＡＣＫ／ＮＡＣＫも送受信することができる。結果として、この構造ではデータ伝送エラーの発生時にデータの再送までにかかる時間を短縮させることにより、最終データ伝達の遅延を最小化することができる。
【０１１３】
このようなセルフスロット構造においては、基地局とＵＥが送信モードから受信モードに、又は受信モードから送信モードに転換するために一定の時間の長さのタイムギャップ（ｔｉｍｅ  ｇａｐ）が必要である。このために、セルフスロット構造においてＤＬからＵＬに転換される時点の一部のＯＦＤＭシンボルは、ガード区間（ｇｕａｒｄ  ｐｅｒｉｏｄ、ＧＰ）として設定されることができる。
【０１１４】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１１５】
一例として、スロットは様々なスロットフォーマットを有することができる。この時、各々のスロットのＯＦＤＭシンボルは下りリンク（‘Ｄ’と表す）、フレキシブル（‘Ｘ’と表す）及び上りリンク（‘Ｕ’と表す）に分類される。
【０１１６】
従って、下りリンクスロットにおいてＵＥは下りリンク伝送が‘Ｄ’及び‘Ｘ’シンボルでのみ発生すると仮定できる。同様に、上りリンクスロットにおいてＵＥは上りリンク伝送が‘Ｕ’及び‘Ｘ’シンボルでのみ発生すると仮定できる。
【０１１７】
２．３．アナログビームフォーミング（Ａｎａｌｏｇ  Ｂｅａｍｆｏｒｍｉｎｇ）
【０１１８】
ミリ波（Ｍｉｌｌｉｍｅｔｅｒ  Ｗａｖｅ、ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネルに０．５ｌａｍｂｄａ（波長）間隔で２次元（２−ｄｉｍｅｎｓｉｏｎ）配列する場合、合計１００個のアンテナ要素を設けることができる。これにより、ミリ波（ｍｍＷ）では多数のアンテナ要素を使用してビームフォーミング（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１１９】
この時、アンテナ要素ごとに伝送パワー及び位相の調節ができるように、各々のアンテナ要素はＴＸＲＵ（ｔｒａｎｓｃｅｉｖｅｒ）を含む。これにより、各々のアンテナ要素は周波数リソースごとに独立的なビームフォーミングを行うことができる。
【０１２０】
しかし、１００個余りの全てのアンテナ要素にＴＸＲＵを設けることは費用面で実効性が乏しい。従って、１つのＴＸＲＵに多数のアンテナ要素をマッピングし、アナログ位相シフター（ａｎａｌｏｇ  ｐｈａｓｅ  ｓｈｉｆｔｅｒ）でビーム方向を調節する方式が考えられている。かかるアナログビームフォーミング方式では全帯域において１つのビーム方向のみを形成できるので、周波数選択的なビームフォーミングが難しいという短所がある。
【０１２１】
これを解決するために、デジタルビームフォーミング及びアナログビームフォーミングの中間形態として、Ｑ個のアンテナ要素より少ない数のＢ個のＴＸＲＵを有するハイブリッドビームフォーミング（ｈｙｂｒｉｄ  ＢＦ）が考えられる。この場合、Ｂ個のＴＸＲＵとＱ個のアンテナ要素の連結方式によって差はあるが、同時に伝送可能なビームの方向はＢ個以下に制限される。
【０１２２】
図７及び図８は、ＴＸＲＵとアンテナ要素（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【０１２３】
図７はＴＸＲＵがサブアレイ（ｓｕｂ−ａｒｒａｙ）に連結された方式を示している。図７の場合、アンテナ要素は１つのＴＸＲＵのみに連結される。
【０１２４】
反面、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図８に示したように、別の加算器が必要である。
【０１２５】
図７及び図８において、Ｗはアナログ位相シフター（ａｎａｌｏｇ  ｐｈａｓｅ  ｓｈｉｆｔｅｒ）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは１：１又は１：多である。
【０１２６】
図７の構成によれば、ビームフォーミングのフォーカシングが難しいという短所があるが、全てのアンテナ構成を低価で構成できるという長所がある。
【０１２７】
図８の構成によれば、ビームフォーミングのフォーカシングが容易であるという長所がある。但し、全てのアンテナ要素にＴＸＲＵが連結されるので、全体の費用が増加するという短所がある。
【０１２８】
本発明が適用可能なＮＲシステムにおいて、複数のアンテナが使用される場合、デジタルビームフォーミング（Ｄｉｇｉｔａｌ  ｂｅａｍｆｏｒｍｉｎｇ）及びアナログビームフォーミングを結合したハイブリッドビームフォーミング（ｈｙｂｒｉｄ  ｂｅａｍｆｏｒｍｉｎｇ）方式が適用される。この時、アナログビームフォーミング（又はＲＦ（ｒａｄｉｏ  ｆｒｅｑｕｅｎｃｙ）ビームフォーミング）は、ＲＦ端でプリコーディング（又は組み合わせ（ｃｏｍｂｉｎｉｎｇ））を行う動作を意味する。またハイブリッドビームフォーミングにおいて、ベースバンド（ｂａｓｅｂａｎｄ）端とＲＦ端は各々プリコーティング（又は組み合わせ）を行う。これによりＲＦチェーンの数とＤ／Ａ（Ｄｉｇｉｔａｌ  ｔｏ  ａｎａｌｏｇ）（又はＡ／Ｄ（ａｎａｌｏｇ  ｔｏ  ｄｉｇｉｔａｌ））コンバーターの数を減らしながらデジタルビームフォーミングに近接する性能を得られるという長所がある。
【０１２９】
説明の便宜上、ハイブリッドビームフォーミングの構造は、Ｎ個の送受信端（ｔｒａｎｓｃｅｉｖｅｒ  ｕｎｉｔ、ＴＸＲＵ）とＭ個の物理的アンテナで表すことができる。この時、送信端から伝送するＬ個のデータ層（ｄｉｇｉｔａｌ  ｌａｙｅｒ）に対するデジタルビームフォーミングは、Ｎ＊Ｌ（Ｌ  ｂｙ  Ｌ）行列で表される。その後、変換されたＮ個のデジタル信号はＴＸＲＵを介してアナログ信号に変換され、変換された信号に対してＭ＊Ｎ（Ｍ  ｂｙ  Ｎ）行列で表されるアナログビームフォーミングが適用される。
【０１３０】
図９は、本発明の一例によるＴＸＲＵ及び物理的アンテナ観点におけるハイブリッドビームフォーミングの構造を簡単に示す図である。この時、図９においてデジタルビームの数はＬ個であり、アナログビームの数はＮ個である。
【０１３１】
さらに、本発明が適用可能なＮＲシステムにおいては、基地局がアナログビームフォーミングをシンボル単位で変更できるように設計して、所定の地域に位置した端末に効率的なビームフォーミングを支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビームフォーミングが適用可能な複数のアンテナパネルを導入する方法の案も考えられる。
【０１３２】
以上のように基地局が複数のアナログビームを活用する場合、端末ごとに信号の受信に有利するアナログビームが異なる。よって本発明が適用可能なＮＲシステムにおいては、基地局が所定のサブフレーム（ＳＦ）内でシンボルごとに異なるアナログビームを適用して（少なくとも同期信号、システム情報、ページング（ｐａｇｉｎｇ）など）信号を伝送することにより、全ての端末が受信機会を得るようにするビームスウィーピング（ｂｅａｍ  ｓｗｅｅｐｉｎｇ）動作が考えられている。
【０１３３】
図１０は本発明の一例による下りリンク（Ｄｏｗｎｌｉｎｋ、ＤＬ）伝送過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスウィーピング（Ｂｅａｍ  ｓｗｅｅｐｉｎｇ）動作を簡単に示す図である。
【０１３４】
図１０において、本発明が適用可能なＮＲシステムのシステム情報がブロードキャスティング（Ｂｒｏａｄｃａｓｔｉｎｇ）方式で伝送される物理的リソース（又は物理チャネル）を、ｘＰＢＣＨ（ｐｈｙｓｉｃａｌ  ｂｒｏａｄｃａｓｔ  ｃｈａｎｎｅｌ）と称する。この時、１つのシンボル内で互いに異なるアンテナパネルに属する複数のアナログビームは同時に伝送可能である。
【０１３５】
また図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Ｒｅｆｅｒｅｎｃｅ  ｓｉｇｎａｌ、ＲＳ）であるビーム参照信号（Ｂｅａｍ  ＲＳ、ＢＲＳ）の導入が論議されている。ＢＲＳは複数のアンテナポットに対して定義され、ＢＲＳの各々のアンテナポットは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１３６】
３．提案する実施例
【０１３７】
以下、上記のような技術的思想に基づいて本発明で提案する構成についてより詳しく説明する。
【０１３８】
具体的には、基地局と端末で構成された無線通信システムは１つ又は複数のベースシーケンス（ｂａｓｅ  ｓｅｑｕｅｎｃｅ）で構成されたシーケンスグループを複数個支援することができる。この時、端末は複数のシーケンスグループ内の特定のベースシーケンスを選択した後、（時間ドメイン又は周波数ドメイン）ＣＳ（Ｃｙｃｌｉｃ  Ｓｈｉｆｔ）を適用して生成したシーケンスを（シーケンス選択基盤の）ＵＬ制御及び／又はＵＬ  ＲＳ（ｒｅｆｅｒｅｎｃｅ  ｓｉｇｎａｌ）に使用することができる。本発明では、このような端末の動作において、シーケンスグループインデックス及び／又はＣＳインデックスオフセット値を特定のホッピングパターンによって時間及び／又は周波数リソース単位ごとに変更する方法について詳しく説明する。
【０１３９】
以下、説明の便宜上、特定のリソース単位ごとにシーケンスグループを変更する動作を‘シーケンスグループホッピング（ｓｅｑｕｅｎｃｅ  ｇｒｏｕｐ  ｈｏｐｐｉｎｇ）’という。
【０１４０】
また特定のリソース単位ごとに（同じシーケンスグループ内の）ベースシーケンスを変更する動作を‘シーケンスホッピング（ｓｅｑｕｅｎｃｅ  ｈｏｐｐｉｎｇ）’という。
【０１４１】
また特定のリソース単位ごとに（同じベースシーケンスに適用される）ＣＳ（Ｃｙｃｌｉｃ  Ｓｈｉｆｔ）値を異なるように適用する動作を‘ＣＳホッピング（ＣＳ  ｈｏｐｐｉｎｇ）’という。
【０１４２】
本発明が適用可能なＮＲシステムは、単一の物理システムにおいて複数の論理ネットワークを支援し、様々な要求条件を有するサービス（例：ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  ｔｙｐｅ  Ｃｏｍｍｕｎｉｃａｔｉｏｎ）、ＵＲＬＬＣ（ＵＬＴＲＡ  Ｒｅｌｉａｂｉｌｉｔｙ  Ｌｏｗ  Ｌａｔｅｎｃｙ  Ｃｏｍｍｕｎｉｃａｔｉｏｎ）など）を支援するように設計される。またＮＲシステムでは、ＵＣＩ送信目的の物理チャネルであるＰＵＣＣＨとして比較的に多いＯＦＤＭシンボル（例：４つ以上のシンボル）で構成されて広いＵＬカバレッジを支援するＰＵＣＣＨ（以下、Ｌｏｎｇ  ＰＵＣＣＨ）と、比較的に少ないＯＦＤＭシンボル（例：１つ又は２つのシンボル）で構成されて低い遅延度（Ｌｏｗ  Ｌａｔｅｎｃｙ）の送信を支援するＰＵＣＣＨ（以下、Ｓｈｏｒｔ  ＰＵＣＣＨ）を支援するように設計されている。
【０１４３】
ここで、Ｓｈｏｒｔ  ＰＵＣＣＨは１つ以上の送信構造を有する。一例として、Ｓｈｏｒｔ  ＰＵＣＣＨで送信されるＵＣＩ（ｕｐｌｉｎｋ  ｃｏｎｔｒｏｌ  ｉｎｆｏｒｍａｔｉｏｎ）の情報量が少ない場合（例：１又は２ビット）、基地局は端末に複数のシーケンスで構成されたシーケンス集合をＳｈｏｒｔ  ＰＵＣＣＨリソースに割り当て、端末はＳｈｏｒｔ  ＰＵＣＣＨリソースに割り当てられたシーケンスのうち、送信するＵＣＩ情報に対応する特定のシーケンスを選択して送信することができる。この時、シーケンスはＬｏｗ  ＰＡＰＲ（ｐｅａｋ  ｐｏｗｅｒ  ｔｏ  ａｖｅｒａｇｅ  ｐｏｗｅｒ  ｒａｔｉｏ）特性を満たすように設計される。
【０１４４】
以下、説明の便宜上、上記のようなシーケンス基盤のＳｈｏｒｔ  ＰＵＣＣＨ構造を‘ＳＥＱ−ＰＵＣＣＨ’という。
【０１４５】
この時、本発明が適用可能なＮＲシステムにおいて、ＳＥＱ−ＰＵＣＣＨに使用されるシーケンスについて上述したシーケンスグループホッピング（ｓｅｑｕｅｎｃｅ  ｇｒｏｕｐ  ｈｏｐｐｉｎｇ）及び／又はシーケンスホッピング（ｓｅｑｕｅｎｃｅ  ｈｏｐｐｉｎｇ）及び／又はＣＳホッピング（ＣＳ  ｈｏｐｐｉｎｇ）を適用することができる。
【０１４６】
よって、ＮＲシステムにおいて１つ又は複数のベースシーケンスで構成されたシーケンスグループを複数個定義する場合、本発明ではＳＥＱ−ＰＵＣＣＨに対してシーケンスグループインデックス及び／又はＣＳインデックスのオフセット値を特定のホッピングパターンによって時間及び／又は周波数リソース単位ごとに変更する方法について詳しく説明する。
【０１４７】
以下、説明の便宜上、本発明で提案する動作についてシーケンスホッピングの観点を中心として詳しく説明するが、動作は一般的にリソースホッピング（Ｒｅｓｏｕｒｃｅ  ｈｏｐｐｉｎｇ）の観点にも拡張して適用することができる。即ち、本発明で言及した‘シーケンス’は‘リソース’と拡張して解釈することができる。
【０１４８】
以下、シーケンス変調基盤のＰＵＣＣＨとは、シーケンスに変調されたシンボル（Ｍｏｄｕｌａｔｅｄ  ｓｙｍｂｏｌ、例：ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ））を乗じて送信する方式でＵＣＩを送信するＰＵＣＣＨを意味する。
【０１４９】
本発明において、ＳＥＱ−ＰＵＣＣＨ（又はＵＬ  ＤＭ−ＲＳ又はシーケンス変調基盤のＰＵＣＣＨ）に適用可能な１つ以上のベースシーケンスで構成されたシーケンスグループが複数個定義され、特定のリソース単位で送信するＳＥＱ−ＰＵＣＣＨ（又はＵＬ  ＤＭ−ＲＳ又はシーケンス変調基盤のＰＵＣＣＨ）として使用可能なベースシーケンスが属するシーケンスグループ（又はシーケンスグループインデックス）は、初期値と該当リソース単位に関する情報を入力とする特定の第１関数の出力値によって決定される。以下、説明の便宜上、第１関数をシーケンスグループホッピングのパターンという。
【０１５０】
また本発明において、特定のリソース単位で送信するＳＥＱ−ＰＵＣＣＨ（又はＵＬ  ＤＭ−ＲＳ又はシーケンス変調基盤のＰＵＣＣＨ）に適用可能なベースシーケンスは、同じシーケンスグループに属するように制限され、シーケンスグループ内に選択されるベースシーケンスは初期値と該当リソース単位に対する情報を入力とする特定の第２関数の出力値によって決定される。以下、説明の便宜上、第２関数をシーケンスホッピングのパターンという。
【０１５１】
また本発明において、特定のリソース単位で送信するＳＥＱ−ＰＵＣＣＨ（又はＵＬ  ＤＭ−ＲＳ又はシーケンス変調基盤のＰＵＣＣＨ）に適用可能なベースシーケンスに対するＣＳ（又はＣＳオフセット）値は、初期値と該当リソース単位のインデックス情報を入力値とする第３関数の出力値によって決定される。以下、説明の便宜上、第３関数をＣＳホッピングのパターンという。
【０１５２】
本発明において、スロットとは、スケジューリングを行う基本時間単位を意味し、１つのスロットは複数のミニスロットで構成される。
【０１５３】
また本発明において、ＵＬ制御リソースセット（ＵＬ  ｃｏｎｔｒｏｌ  ｒｅｓｏｕｒｃｅ  ｓｅｔ）は、ＰＵＣＣＨなどのＵＬ制御情報を送信する時間及び周波数リソース領域を意味する。この時、基地局は特定の端末にシステム帯域内に区分される１つ以上のＵＬ制御リソースセットを設定することができる。
【０１５４】
３．１．第１シーケンス／シーケンスグループ／ＣＳホッピングの支援方法
【０１５５】
基地局はＳＥＱ−ＰＵＣＣＨ（又はＵＬ  ＤＭ−ＲＳ又はシーケンス変調基盤のＰＵＣＣＨ）に対するシーケンスグループホッピングのパターン（又はシーケンスホッピングのパターン又はＣＳホッピングのパターン）の適用有無（例：ｅｎａｂｌｅ／ｄｉｓａｂｌｅ）を以下のうちの１つの方法で端末に設定することができる。
【０１５６】
（１）ＰＢＣＨ（Ｐｈｙｓｉｃａｌ  Ｂｒｏａｄｃａｓｔ  Ｃｈａｎｎｅｌ）及び／又はＳＩＢ（Ｓｙｓｔｅｍ  Ｉｎｆｏｒｍａｔｉｏｎ  Ｂｌｏｃｋ）（又はシステム情報）により適用有無を設定
【０１５７】
−（端末特定の）ＲＲＣ（ｒａｄｉｏ  Ｒｅｓｏｕｒｃｅ  Ｃｏｎｔｒｏｌ）シグナリングにより（ＵＬ制御リソースセットごとに）適用有無を設定
【０１５８】
本発明が適用可能なＮＲシステムにおいて、端末は常にシステム帯域全体に対する信号送受信を支援しないことができる。即ち、端末は全体のシステム帯域より小さい帯域に対応するＲＦ（ｒａｄｉｏ  Ｆｒｅｑｕｅｎｃｙ）回路を有することができる。これにより、ＵＥがＰＵＣＣＨなどのＵＬ制御情報を送信する場合、本発明が適用可能なＮＲシステムでは、ＬＴＥシステムのようにセル共通のＵＬ制御送信領域を定義することが難しい。
【０１５９】
従って、本発明が適用可能なＮＲシステムでは、より柔軟に１つ以上のＵＬ制御リソースセットを設定することができる。この時、シーケンスグループホッピングのパターン（又はシーケンスホッピングのパターン又はＣＳホッピングのパターン）の適用有無は、好ましくはＵＬ制御リソースセットごとに独立して設定される。この設定情報はＳＩＢなどのシステム情報により端末共通に伝達されるか、又は（端末特定の）ＲＲＣシグナリングにより伝達される。
【０１６０】
上述した第１シーケンス／シーケンスグループ／ＣＳホッピングの支援方法は本発明の他の提案と互いに反しない限り、共に結合して適用できる。
【０１６１】
３．２．第２シーケンス／シーケンスグループ／ＣＳホッピングの支援方法
【０１６２】
シーケンスグループホッピングのパターン（又はシーケンスホッピングのパターン又はＣＳホッピングのパターン）が初期値と（シーケンスが送信される）リソース単位に対するインデックス情報に基づいて決定される場合（又は、シーケンスグループホッピングのパターン（又はシーケンスホッピングのパターン又はＣＳホッピングのパターン）が初期値と（シーケンスが送信される）リソース単位に対するインデックス情報を入力値とする関数に基づいて決定される場合）、（シーケンスが送信される）リソース単位に対するインデックス情報として以下のうちの１つ又は複数の組み合わせを活用できる。
【０１６３】
（１）スロットインデックス（又はミニスロットインデックス）
【０１６４】
（２）シンボルインデックス
【０１６５】
（３）ＰＲＢ（Ｐｈｙｓｉｃａｌ  Ｒｅｓｏｕｒｃｅ  Ｂｌｏｃｋ）インデックス
【０１６６】
（４）（ＵＬ制御領域内又はＰＵＣＣＨ内の）ローカルシンボルインデックス
【０１６７】
（５）（ＵＬ制御領域内又はＰＵＣＣＨ内の）ローカルＰＲＢインデックス
【０１６８】
（６）ＵＬ制御リソースセットのインデックス
【０１６９】
ここで、ＰＲＢ（ｐｈｙｓｉｃａｌ  ｒｅｓｏｕｒｃｅ  ｂｌｏｃｋ）は周波数軸リソース単位のインデックス値を意味し、ＵＬ制御リソースセットはＰＵＣＣＨなどのＵＬ制御を送信する時間及び周波数軸リソース領域を意味する。
【０１７０】
図１１は本発明の一例によるシーケンス／シーケンスグループ／ＣＳホッピングの支援方法を簡単に示す図である。
【０１７１】
一例として、シーケンスグループホッピングのパターン（又はシーケンスホッピングのパターン又はＣＳホッピングのパターン）が関数ｆ（ｘ）（ここで、ｘはベクターであることができる）により与えられ、関数はスロットインデックスが入力として入力されることができる。この場合、図１１に示したように、ＳＥＱ−ＰＵＣＣＨ（又はＵＬ  ＤＭ−ＲＳ）に使用されるシーケンスグループ（又はベースシーケンス又はＣＳ値）は１つのスロットに対して同一であり、スロットごとに異なるように設定されることができる。
【０１７２】
図１２は本発明の他の例によるシーケンス／シーケンスグループ／ＣＳホッピングの支援方法を簡単に示す図である。
【０１７３】
他の例として、シーケンスグループホッピングのパターン（又はシーケンスホッピングのパターン又はＣＳホッピングのパターン）が関数ｆ（ｘ）（ここで、ｘはベクターであることができる）により与えられ、関数はスロットインデックスとシンボルインデックスが入力として入力されることができる。この場合、図１２に示したように、ＳＥＱ−ＰＵＣＣＨ（又はＵＬ  ＤＭ−ＲＳ）に使用されるシーケンスグループ（又はベースシーケンス又はＣＳ値）はスロット内のシンボル単位で変更されることができる。
【０１７４】
さらに他の例として、シーケンスグループホッピングのパターン（又はシーケンスホッピングのパターン又はＣＳホッピングのパターン）が関数ｆ（ｘ）（ここで、ｘはベクターであることができる）により与えられ、関数はスロットインデックスと（ＵＬ制御領域内）ローカルシンボルインデックス）が入力として入力されることができる。この時、ローカルシンボルインデックスは、現在スロット内に設定されたＵＬ制御領域に対して定義されたインデックス、又はＵＬ制御領域に設定可能な最大のシンボル区間に対して定義されたインデックスである。
【０１７５】
さらに他の例として、シーケンスグループホッピングのパターン（又はシーケンスホッピングのパターン又はＣＳホッピングのパターン）が関数ｆ（ｘ）（ここで、ｘはベクターであることができる）により与えられ、関数はスロットインデックスが入力として入力されることができる。この時、さらにシンボル単位でシーケンスグループホッピングのパターン（又はシーケンスホッピングのパターン又はＣＳホッピングのパターン）に対する初期値が異なるように適用されることができる。
【０１７６】
一例として、スロット内の最後のシンボルに対しては初期値Ｘ０が適用されたシーケンスグループホッピングのパターン（又はシーケンスホッピングのパターン又はＣＳホッピングのパターン）に対してスロットインデックスが入力される反面、最後から２番目のシンボル（Ｓｅｃｏｎｄ  ｌａｓｔ  ｓｙｍｂｏｌ）に対しては初期値Ｘ１が適用されたシーケンスグループホッピングのパターン（又はシーケンスホッピングのパターン又はＣＳホッピングのパターン）に対してスロットインデックスが入力されることができる。
【０１７７】
この時、Ｘ０とＸ１は基地局がＳＩＢなどのシステム情報により端末共通に設定するか、又はＲＲＣシグナリングなどの（端末特定の）上位層信号により端末特定に設定することができる。即ち、基地局はシンボルごとにシーケンスグループホッピングのパターン（又はシーケンスホッピングのパターン又はＣＳホッピングのパターン）に対する初期値を上位層信号により設定することができる。
【０１７８】
また特定のリソース単位に対するＣＳオフセット値がＣＳホッピングのパターンにより決定される場合、該当リソース単位で送信されるＳＥＱ−ＰＵＣＣＨは複数のＣＳリソースのうちの１つを選択する方式でＵＣＩを表現することができる。この場合、特定のＵＣＩ状態に対応して選択されたＣＳ値にＣＳホッピングのパターンによるＣＳオフセット値が加えられた値が最終ＣＳリソースとして送信される。
【０１７９】
上述した第２シーケンス／シーケンスグループ／ＣＳホッピングの支援方法は本発明の他の提案と互いに反しない限り、共に結合して適用できる。
【０１８０】
３．３．第３シーケンス／シーケンスグループ／ＣＳホッピングの支援方法
【０１８１】
シーケンスグループホッピングのパターン（又はシーケンスホッピングのパターン又はＣＳホッピングのパターン）が初期値と（シーケンスが送信される）リソース単位に対するインデックス情報を入力値として決定される場合、初期値は以下のように設定される。
【０１８２】
（１）（端末特定の）ＲＲＣシグナリングの受信前（即ち、初期接続段階）
【０１８３】
（１−１）同期信号で検出されたＰＣＩＤ（ｐｈｙｓｉｃａｌ  ｃｅｌｌ  ＩＤ）又はＢｅａｍ  ＩＤに基づいて初期値を設定。この時、Ｂｅａｍ  ＩＤは（同期信号専用）リソース領域に対するインデックスから暗示される。
【０１８４】
（１−２）ＰＢＣＨ／ＳＩＢ／ＲＡＲ（Ｒａｎｄｏｍ  Ａｃｃｅｓｓ  Ｒｅｓｐｏｎｓｅ）で指示されたＶＣＩＤ（ｖｉｒｔｕａｌ  ｃｅｌｌ  ＩＤ）又はＢｅａｍ  ＩＤに基づいて初期値を設定。この時、ＶＣＩＤ又はＢｅａｍ  ＩＤはＰＣＩＤと独立して設定される。
【０１８５】
（２）（端末特定の）ＲＲＣシグナリングの受信後
【０１８６】
−基地局が設定した特定のシード（Ｓｅｅｄ）値に基づいて初期値を設定。この時、基地局はシンボルごと及び／又はＵＬ制御リソースセットごとに独立してシード値を設定する。
【０１８７】
具体的な例として、端末がランダムアクセス （Ｒａｎｄｏｍ  Ａｃｃｅｓｓ）過程を行った後、（端末特定の）ＲＲＣシグナリング受信前であれば、端末はシーケンスグループホッピングのパターン（又はシーケンスホッピングのパターン又はＣＳホッピングのパターン）に対する初期値を（同期信号などに対して）検出した情報又は（基地局から）設定されたＰＢＣＨ／ＳＩＢなどのシステム情報により把握することができる。
【０１８８】
又は、端末が（端末特定の）ＲＲＣシグナリングを受信できる場合、基地局は端末特定にシーケンスグループホッピングのパターン（又はシーケンスホッピングのパターン又はＣＳホッピングのパターン）に対する初期値を設定することができる。この時、初期値はシンボルごと及び／又はＵＬ制御リソースセットごとに独立して設定される。
【０１８９】
上述した第３シーケンス／シーケンスグループ／ＣＳホッピングの支援方法は本発明の他の提案と互いに反しない限り、共に結合して適用できる。
【０１９０】
３．４．第４シーケンス／シーケンスグループ／ＣＳホッピングの支援方法
【０１９１】
シーケンスグループホッピングのパターン（又はシーケンスホッピングのパターン）がＰＵＣＣＨに適用される場合、ＰＵＣＣＨを構成するシンボル数によってシーケンスグループホッピングのパターン（又はシーケンスホッピングのパターン）が適用される時間単位が異なるように適用される。
【０１９２】
具体的には、Ｌｏｎｇ  ＰＵＣＣＨの基本送信単位はスロット（又はミニスロット）単位である反面、Ｓｈｏｒｔ  ＰＵＣＣＨの基本送信単位はシンボル単位である。この場合、Ｌｏｎｇ  ＰＵＣＣＨに対してはシーケンスグループホッピングのパターン（又はシーケンスホッピングのパターン）がスロットインデックスを入力としてスロット単位で適用される反面、Ｓｈｏｒｔ  ＰＵＣＣＨに対してはシーケンスグループホッピングのパターン（又はシーケンスホッピングのパターン）がシンボルインデックスを入力としてシンボル単位で適用される。また、マルチスロット（Ｍｕｌｔｉ−ｓｌｏｔ）で送信されるＬｏｎｇ  ＰＵＣＣＨに対してはマルチスロット単位に対するインデックスを入力値としてシーケンスグループホッピングのパターン（又はシーケンスホッピングのパターン又はＣＳホッピングのパターン）がマルチスロット単位で適用される。
【０１９３】
上述した第４シーケンス／シーケンスグループ／ＣＳホッピングの支援方法は本発明の他の提案と互いに反しない限り、共に結合して適用できる。
【０１９４】
３．５．第５シーケンス／シーケンスグループ／ＣＳホッピングの支援方法
【０１９５】
シーケンスグループホッピングのパターン（又はシーケンスホッピングのパターン又はＣＳホッピングのパターン）が一定周期で繰り返される場合、該周期は以下のうちの１つにより設定される。
【０１９６】
（１）（ラジオフレームに対応する）固定された時間の長さ（例：１０ｍｓ）
【０１９７】
（２）（ニューマロロジーとは関係なく）固定されたスロット数に対応する時間の長さ  
【０１９８】
（３）基地局が設定した特定のスロット数に対応する時間の長さ
【０１９９】
具体的な例として、シーケンスグループホッピングのパターン（又はシーケンスホッピングのパターン又はＣＳホッピングのパターン）は、周期として特定のスロット数を有するように設定される。この場合、ニューマロロジーとは関係なくシーケンスグループホッピングのパターン（又はシーケンスホッピングのパターン又はＣＳホッピングのパターン）は常に同じスロット数の周期を有するように設定される。
【０２００】
又は、副搬送波間隔（ｓｕｂｃａｒｒｉｅｒ  ｓｐａｃｉｎｇ、ＳＣＳ）が大きくなるに従って時間単位が小さくなり、より多いシーケンスグループホッピングのパターン（又はシーケンスホッピングのパターン又はＣＳホッピングのパターン）が必要な場合、このシーケンスグループホッピングのパターン（又はシーケンスホッピングのパターン又はＣＳホッピングのパターン）は固定された時間周期（例：１０ｍｓ）を有するように設定される。この場合、ＳＣＳサイズが大きくなるほど時間周期内のスロット数が増加してシーケンスホッピングのパターンの数を増やすことができる。
【０２０１】
本発明において、ニューマロロジーとは、ＯＦＤＭ構造におけるシンボルの長さ及びＳＣＳ（ｓｕｂｃａｒｒｉｅｒ  ｓｐａｃｉｎｇ）を意味する。
【０２０２】
さらに、特定のニューマロロジー（又はＳＣＳ）に対してシーケンスグループホッピングのパターン（又はシーケンスホッピングのパターン又はＣＳホッピングのパターン）が適用される周期及び単位は、以下のうちの１つのオプションによって設定される。
【０２０３】
図１３は本発明の一例によって特定のニューマロロジー（又はＳＣＳ）に対してシーケンスグループホッピングのパターン（又はシーケンスホッピングのパターン又はＣＳホッピングのパターン）が特定の周期及び単位で適用される構成を簡単に示す図である。以下、図１３に示した例示に基づいて、本発明に適用可能なオプション１について詳しく説明する。
【０２０４】
１）オプション１：固定された時間周期と固定された時間ユニット単位のシーケンスグループホッピングのパターン（又はシーケンスホッピングのパターン又はＣＳホッピングのパターン）を適用
【０２０５】
−一例として、１０ｍｓ周期を有し、０．５ｍｓ単位でシーケンスグループホッピングのパターン（又はシーケンスホッピングのパターン又はＣＳホッピングのパターン）が適用される。
【０２０６】
−ＳＣＳ＝１５ｋＨｚであると、長さ−２０のホッピングパターンが適用され、スロット単位でシーケンスグループ（又はシーケンス又はＣＳ）ホッピング
【０２０７】
−ＳＣＳ＝１５ｋＨｚ＊Ｎであると、長さ−２０のホッピングパターンが適用され、Ｎスロット単位でシーケンスグループ（又はシーケンス又はＣＳ）ホッピング
【０２０８】
−固定された時間ユニット内に複数のスロットが存在する場合、固定された時間ユニット内の相対的なスロット位置によってシーケンスグループホッピングのパターン（又はシーケンスホッピングのパターン又はＣＳホッピングのパターン）に対する初期値が異なる。
【０２０９】
−固定された時間ユニット内に複数のスロットが存在する場合、固定された時間ユニット内で複数のスロットに対してさらなるシーケンスホッピング（例：同じシーケンスグループ内のベースシーケンスホッピング）が適用されるか、又は固定された時間ユニット内のスロットの（相対的な）位置によってシーケンスグループインデックスに対するオフセット値が適用される。
【０２１０】
図１４は本発明の他の例によって特定のニューマロロジー（又はＳＣＳ）に対してシーケンスグループホッピングのパターン（又はシーケンスホッピングのパターン又はＣＳホッピングのパターン）が特定の周期及び単位で適用される構成を簡単に示す図である。以下、図１４に示した例示に基づいて、本発明に適用可能なＯｐｔｉｏｎ  ２について詳しく説明する。
【０２１１】
（２）Ｏｐｔｉｏｎ  ２：固定された時間周期と（ニューマロロジーによる）スケーラブル（Ｓｃａｌａｂｌｅ）時間ユニット単位のシーケンスグループホッピングのパターン（又はシーケンスホッピングのパターン又はＣＳホッピングのパターン）を適用
【０２１２】
−一例として、１０ｍｓ周期を有し、（ニューマロロジーによる）（ミニ）スロット単位でシーケンスグループホッピングのパターン（又はシーケンスホッピングのパターン又はＣＳホッピングのパターン）が適用される。
【０２１３】
−ＳＣＳ＝１５ｋＨｚであると、長さ−２０のホッピングパターンが適用され、スロット（０．５ｍｓ）単位でシーケンスグループ（又はシーケンス又はＣＳ）ホッピング
【０２１４】
−ＳＣＳ＝１５ｋＨｚ＊Ｎであると、長さ−（２０＊Ｎ）のホッピングパターンが適用され、スロット（０．５ｍｓ／Ｎ）単位でシーケンスグループ（又はシーケンス又はＣＳ）ホッピング
【０２１５】
図１５は本発明のさらに他の例によって特定のニューマロロジー（又はＳＣＳ）に対してシーケンスグループホッピングのパターン（又はシーケンスホッピングのパターン又はＣＳホッピングのパターン）が特定の周期及び単位で適用される構成を簡単に示す図である。以下、図１５に示した例示に基づいて、本発明に適用可能なＯｐｔｉｏｎ  ３について詳しく説明する。
【０２１６】
（３）Ｏｐｔｉｏｎ  ３：（ニューマロロジーによる）スケーラブル（Ｓｃａｌａｂｌｅ）時間ユニットＸ個（但し、Ｘは固定値）に対応する周期と、（ニューマロロジーによる）スケーラブル（Ｓｃａｌａｂｌｅ）時間ユニット単位のシーケンスグループホッピングのパターン（又はシーケンスホッピングのパターン又はＣＳホッピングのパターン）を適用
【０２１７】
−一例として、（ニューマロロジーによる）２０（ミニ）スロット周期を有し、（ニューマロロジーによる）（ミニ）スロット単位でシーケンスグループホッピングのパターン（又はシーケンスホッピングのパターン又はＣＳホッピングのパターン）が適用される。
【０２１８】
−ＳＣＳ＝１５ｋＨｚであると、長さ−２０のホッピングパターンが適用され、スロット（０．５ｍｓ）単位でシーケンスグループ（又はシーケンス又はＣＳ）ホッピング。この時、周期は２０スロット（１０ｍｓ）に設定される。
【０２１９】
−ＳＣＳ＝１５ｋＨｚ＊Ｎであると、長さ−２０のホッピングパターンが適用され、スロット（０．５ｍｓ／Ｎ）単位でシーケンスグループ（又はシーケンス又はＣＳ）ホッピング。この時、周期は２０スロット（１０ｍｓ／Ｎ）と設定される。
【０２２０】
−特定の固定された時間区間内の複数の時間周期が存在する場合、特定の固定された時間区間内の複数の時間周期に対してさらなるシーケンスホッピング（例：同じシーケンスグループ内のベースシーケンスホッピング）が適用されるか、又は特定の固定された時間区間内の時間周期の（相対的な）位置によってシーケンスグループインデックスに対するオフセット値が適用されることができる。
【０２２１】
上述した第５シーケンス／シーケンスグループ／ＣＳホッピングの支援方法は本発明の他の提案と互いに反しない限り、共に結合して適用できる。
【０２２２】
３．６．第６シーケンス／シーケンスグループ／ＣＳホッピングの支援方法
【０２２３】
Ｎ個のＰＲＢ及びＰＲＢ当たりＭ個のＣＳ値（ｃｙｃｌｉｃ  ｓｈｉｆｔ  ｖａｌｕｅｓ）が存在する場合、Ｌｏｇ２（Ｌ）ビットのサイズのＳＥＱ−ＰＵＣＣＨに対するＬ個のリソースは以下のように割り当てられる。
【０２２４】
（１）基地局は端末にｋ０（例：ｋ０∈｛０、１、…、Ｍ＊Ｎ−１｝）とΔｋ（例：Δｋ∈｛１、２、３｝）値を設定
【０２２５】
−情報はＲＲＣシグナリングなどの上位層信号により設定される。
【０２２６】
（２）端末はｐ＝０、１、…、Ｌ−１に対してｋ（ｐ）＝ｋ０＋Δｋ＊ｐに対応するＬ個のＣＳリソースを活用できる。
【０２２７】
−この時、ｋ（ｐ）に対応するＰＲＢ及びＣＳリソースは以下のように設定される。
【０２２８】
−ｆｌｏｏｒ（ｋ（ｐ）／Ｍ）はＮ個のＰＲＢのうち、特定のＰＲＢに対するインデックスを指示
【０２２９】
−ｋ（ｐ）ｍｏｄ  Ｍは特定のＰＲＢ内の特定のＣＳに対するインデックスを指示
【０２３０】
より具体的には、ＳＥＱ−ＰＵＣＣＨに対するリソース割り当ての効率性を考える時、１つのＰＲＢ内のＣＳリソースに対応するシーケンスのみでＳＥＱ−ＰＵＣＣＨを構成する方法の案は、特定のＰＲＢ内で使用されないＣＳリソースを発生させることによりリソース割り当ての効率性を低くする。従って、端末が複数のＰＲＢ内のＣＳリソースを活用してＳＥＱ−ＰＵＣＣＨを構成する方法の案がより好ましい。
【０２３１】
但し、そのために基地局のＳＥＱ−ＰＵＣＣＨに対するリソース割り当ての際、ＣＳごとに（該当ＣＳが属する）ＰＲＢリソースに対する情報が別に端末に提供されなければならないので、このような動作はシグナリングオーバーヘッドの観点で好ましくない。
【０２３２】
従って本発明ではシグナリングオーバーヘッドを減らしながらも複数のＰＲＢに対するＣＳリソースをＳＥＱ−ＰＵＣＣＨ構成に活用する方法の案を提案する。
【０２３３】
一例として、複数のＰＲＢに対して各ＰＲＢ当たりＭ個のＣＳリソースがある場合、基地局と端末はＣＳリソースに対して一連のインデキシング（Ｉｎｄｅｘｉｎｇ）を行うことができる。その後、開始インデックスとギャップが設定されると、端末はこの開始インデックスを基準としてｐ＊Ｇａｐ、ｐ＝０、１、…、Ｌ−１に対応するインデックスを有するＬ個のＣＳリソースがＳＥＱ−ＰＵＣＣＨに割り当てられたと見なすことができる。
【０２３４】
上述した第６シーケンス／シーケンスグループ／ＣＳホッピングの支援方法は本発明の他の提案と互いに反しない限り、共に結合して適用できる。
【０２３５】
３．７．第７シーケンス／シーケンスグループ／ＣＳホッピングの支援方法
【０２３６】
以下、１つのシーケンスリソース集合がＮ個のベースシーケンスを含み、各ベースシーケンスごとにＭ個のＣＳ（ｃｙｃｌｉｃ  ｓｈｉｆｔ）を適用できると仮定する。この時、端末が特定のＵＬチャネル内のＵＣＩ又はＤＭ−ＲＳ送信シーケンスとしてシーケンスリソース集合内のリソースを活用する場合、端末が特定の時間リソース単位ごとにベースシーケンスを変更する動作をベースシーケンスホッピングといい、特定のリソースの時間単位ごとに（適用される）ＣＳを変更する動作をＣＳホッピングという。また端末が特定のリソース時間単位ごとに特定のＵＬチャネル内のＵＣＩ又はＤＭ−ＲＳに適用されるＴＤ−ＯＣＣ（ｔｉｍｅ  ｄｏｍａｉｎ  ｏｒｔｈｏｇｏｎａｌ  ｃｏｖｅｒ  ｃｏｄｅ）を変更する動作をＯＣＣホッピングという。
【０２３７】
また本発明において、基地局がＣＳホッピングのパターンに対して特定の初期ＣＳインデックスを指示する場合、初期ＣＳインデックス値もＣＳホッピングのパターンに対する入力値として活用できる。この時、初期ＣＳインデックス値はセル特定のＣＳホッピングのパターンに加えられる端末特定のＣＳオフセット値を意味する。
【０２３８】
本発明において、スロット内で周波数ホッピングがＥｎａｂｌｅ／ＤｉｓａｂｌｅされるＵＬ物理チャネル（例：ＰＵＣＣＨ、ＰＵＳＣＨ）に対してベースシーケンスのホッピング又はＣＳホッピング又はＴＤ−ＯＣＣホッピングが適用される場合、ベースシーケンス又はＣＳ又はＴＤ−ＯＣＣに対するホッピングパターンに対する入力値として、以下のうちの１つ以上の値を活用できる。
【０２３９】
（１）スロットインデックス
【０２４０】
（２）ＯＦＤＭシンボルインデックス
【０２４１】
−ここで、ＯＦＤＭシンボルインデックスは、（ＵＬ物理チャネルの送信区間とは関係なく）スロットに対して決められたＯＦＤＭシンボルインデックスを意味する。
【０２４２】
（３）周波数ホップインデックス
【０２４３】
−ここで、周波数ホップインデックスは周波数ホッピングがＥｎａｂｌｅされた時を基準として各ホップごとに順に与えられるインデックスを意味する（例：Ｋ個のホップに対して０、１、２、…、Ｋ−１のインデックスを付与）。もし周波数ホッピングがＤｉｓａｂｌｅされる場合、周波数ホップインデックスは０と仮定されるか、又は（周波数ホッピング適用時の）各ホップに対応する時間区間（又はシンボル）に対して該当ホップに与えられた周波数ホップインデックスが相変わらず適用されると仮定されて決定される。
【０２４４】
具体的な例として、（シーケンス選択基盤又はシーケンス変調）ＰＵＣＣＨ又はＰＵＣＣＨ／ＰＵＳＣＨ  ＤＭ−ＲＳに対して適用されるベースシーケンスホッピングのパターンに対して、Ｐｈｙｓｉｃａｌ  Ｃｅｌｌ  ＩＤ又は基地局から設定されたＩＤがシード値として活用され、さらなる入力値としてスロットインデックスが活用される（即ち、スロットごとにベースシーケンスが変更される）。
【０２４５】
これと同様に、ＣＳホッピングのパターンに対して、Ｐｈｙｓｉｃａｌ  Ｃｅｌｌ  ＩＤ又は基地局から設定されたＩＤがシード値として活用され、さらなる入力値としてスロットインデックス及び／又はＯＦＤＭシンボルインデックスが活用される（即ち、シンボルごとにＣＳが変更される）。
【０２４６】
反面、ＯＣＣホッピングのパターンはスロット内でのみ有効である。よって、ＯＣＣホッピングのパターンに対して入力値として周波数ホップインデックスが活用されることができる。即ち、周波数ホップ（又は周波数ホップに対応する仮想の時間区間）ごとにＯＣＣが変更される）。
【０２４７】
さらに、干渉ランダム化（Ｉｎｔｅｒｆｅｒｅｎｃｅ  ｒａｎｄｏｍｉｚａｔｉｏｎ）の観点で上述した第７シーケンス／シーケンスグループ／ＣＳホッピングの支援方法は、ＵＣＩ又はデータに対するスクランブルにも同様に適用される。即ち、スロット内で周波数ホッピングがＥｎａｂｌｅ／ＤｉｓａｂｌｅされるＵＬ物理チャネル（例：ＰＵＣＣＨ、ＰＵＳＣＨ）に対して、ＵＣＩ又データに対するスクランブルが適用される場合、スクランブル関数に対する入力値として以下のうちの１つ以上の値を活用できる。
【０２４８】
１）スロットインデックス
【０２４９】
２）ＯＦＤＭシンボルインデックス
【０２５０】
−ここで、ＯＦＤＭシンボルインデックスは、（ＵＬ物理チャネルの送信区間と関係なく）スロットに対して決められたＯＦＤＭシンボルインデックスを意味する。
【０２５１】
３）周波数ホップインデックス
【０２５２】
−ここで、周波数ホップインデックスは、周波数ホッピングがＥｎａｂｌｅされた時を基準として各ホップごとに順に与えられるインデックスを意味する（例：Ｋ個のホップに対して０、１、２、…、Ｋ−１のインデックスを付与）。もし周波数ホッピングがＤｉｓａｂｌｅされた場合、周波数ホップインデックスは０と仮定されるか（周波数ホッピング適用時の）各ホップに対応する時間区間（又はシンボル）に対して該当ホップに付与された周波数ホップインデックスが相変わらず適用されると仮定されて決定される。
【０２５３】
上述した第７シーケンス／シーケンスグループ／ＣＳホッピングの支援方法は本発明の他の提案と互いに反しない限り、共に結合して適用できる。
【０２５４】
図１６は本発明による端末のＰＵＣＣＨ送信方法を示す流れ図である。
【０２５５】
まず端末は１つのスロット内の周波数ホッピングの設定有無によって決定される周波数ホップインデックス（ｆｒｅｑｕｅｎｃｙ  ｈｏｐ  ｉｎｄｅｘ）に基づいてシーケンスホッピングのパターンを決定する（Ｓ１６１０）。次いで、端末は上記決定されたシーケンスホッピングのパターンが適用される復調参照信号（Ｄｅｍｏｄｕｌａｔｉｏｎ  Ｒｅｆｅｒｅｎｃｅ  Ｓｉｇｎａｌ；ＤＭ−ＲＳ）を含む第１ＰＵＣＣＨ、又は決定されたシーケンスホッピングのパターンが適用される第２ＰＵＣＣＨを送信する（Ｓ１６２０）。
【０２５６】
一例として、１つのスロット内の周波数ホッピングが設定される場合、周波数ホップインデックスは１つのスロット内のホップに対して０からＮ（Ｎは自然数）まで順に番号付けされる。
【０２５７】
具体的な例によれば、１つのスロット内の周波数ホッピングが適用される場合、ＰＵＣＣＨのシンボル長さ（ＮＰＵＣＣＨ,ｓｙｍｂ）によってｃｅｉｌｉｎｇ（ＮＰＵＣＣＨ,ｓｙｍｂ／２）シンボル長さの第１ホップ及びＮＰＵＣＣＨ,ｓｙｍｂ−ｃｅｉｌｉｎｇ（ＮＰＵＣＣＨ,ｓｙｍｂ／２）シンボル長さの第２ホップに区分される。
【０２５８】
他の例として、１つのスロット内の周波数ホッピングが設定されない場合、周波数ホップインデックスは０に対応するように設定される。
【０２５９】
この時、シーケンスホッピングのパターンは、複数のシーケンスグループのうちの１つのシーケンスグループが選択されるシーケンスグループホッピングのパターン、及び特定のシーケンスグループ内の複数のベースシーケンスのうちの１つのベースシーケンスが選択されるベースシーケンスホッピングのパターンの組み合わせに基づいて決定される。
【０２６０】
また本発明において、シーケンスホッピングのパターンは周波数ホップインデックスだけではなく、さらにスロットインデックスに基づいて決定される。
【０２６１】
特に、上述したように、適用されるニューマロロジーによって適用される１つのスロットに対応する絶対的な時間の長さが異なるように設定される。従って、シーケンスホッピングのパターンが適用される絶対的な時間単位は、適用されるニューマロロジーによって異なるように設定される。
【０２６２】
上述した提案方式に対する一例も本発明の具現化方法の１つとして含まれてもよく、一種の提案方式と見なし得ることは明白な事実である。また、上述した提案方式は独立して具現化されてもよく、一部の提案方式の組合せ（又は、併合）の形態で具現化されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０２６３】
４．装置構成
【０２６４】
図１７は提案する実施例を具現化できる端末及び基地局の構成を示す図である。図１７に示した端末及び基地局は、上述した端末と基地局の間で物理上りリンク制御チャネル（ＰＵＣＣＨ）の送受信方法の実施例を具現化するように動作する。
【０２６５】
端末（ＵＥ：Ｕｓｅｒ  Ｅｑｕｉｐｍｅｎｔ）１は、上りリンクでは送信端として動作し、下りリンクでは受信端として動作することができる。また、基地局（ｅＮＢ又はｇＮＢ）１００は、上りリンクでは受信端として動作し、下りリンクでは送信端として動作することができる。
【０２６６】
即ち、端末及び基地局は、情報、データ及び／又はメッセージの送信及び受信を制御するためにそれぞれ、送信器（Ｔｒａｎｓｍｉｔｔｅｒ）１０，１１０及び受信器（Ｒｅｃｅｉｖｅｒ）２０，１２０を含むことができ、情報、データ及び／又はメッセージを送受信するためのアンテナ３０，１３０などを含むことができる。
【０２６７】
また、端末及び基地局はそれぞれ、上述した本発明の実施例を行うためのプロセッサ（Ｐｒｏｃｅｓｓｏｒ）４０，１４０、及びプロセッサの処理過程を臨時的に又は持続的に記憶できるメモリ５０，１５０を含むことができる。
【０２６８】
このように構成された端末１は、プロセッサ４０を介して１つのスロット内の周波数ホッピング設定有無によって決定される周波数ホッピングインデックスに基づいてシーケンスホッピングのパターンを決定する。次いで、端末１は送信器１０を介して、上記決定されたシーケンスホッピングのパターンが適用される復調参照信号（Ｄｅｍｏｄｕｌａｔｉｏｎ  Ｒｅｆｅｒｅｎｃｅ  Ｓｉｇｎａｌ；ＤＭ−ＲＳ）を含む第１ＰＵＣＣＨ又は上記決定されたシーケンスホッピングのパターンが適用される第２ＰＵＣＣＨを送信する。
【０２６９】
これに対応して、基地局１００は受信器１２０を介して端末１から特定のシーケンスホッピングのパターンが適用される復調参照信号（Ｄｅｍｏｄｕｌａｔｉｏｎ  Ｒｅｆｅｒｅｎｃｅ  Ｓｉｇｎａｌ；ＤＭ−ＲＳ）を含む第１ＰＵＣＣＨ又は上記特定のシーケンスホッピングのパターンが適用される第２ＰＵＣＣＨを受信する。この時、特定のシーケンスホッピングのパターンは、１つのスロット内の周波数ホッピング設定有無によって決定される周波数ホップインデックス（ｆｒｅｑｕｅｎｃｙ  ｈｏｐ  ｉｎｄｅｘ）に基づいて決定される。
【０２７０】
端末及び基地局に含まれた送信器及び受信器は、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を有することができる。また、図１７の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）ユニットをさらに含むことができる。
【０２７１】
一方、本発明において端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートＰＣ、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０２７２】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）のいずれにおいても作動し得る端末機のことを指す。
【０２７３】
本発明の実施例は、様々な手段によって具現化することができる。例えば、本発明の実施例は、ハードウェア、ファームウェア（ｆｉｒｍｗａｒｅ）、ソフトウェア、又はそれらの結合などによって具現化することができる。
【０２７４】
ハードウェアによる具現化の場合、本発明の実施例による方法は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現化することができる。
【０２７５】
ファームウェアやソフトウェアによる具現化の場合、本発明の実施例による方法は、以上で説明した機能又は動作を行うモジュール、手順又は関数などの形態として具現化することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０２７６】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０２７７】
本発明の実施例は、様々な無線接続システムに適用することができる。様々な無線接続システムの一例として３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は、上記様々な無線接続システムの他、上記様々な無線接続システムを応用した全ての技術分野にも適用することができる。さらに、提案した方法は、超高周波帯域を利用するｍｍＷａｖｅ通信システムにも適用することができる。
【図１】
2020145741.tif 000014
【図２】
2020145741.tif 000015
【図３】
2020145741.tif 000016
【図４】
2020145741.tif 000017
【図５】
2020145741.tif 000018
【図６】
2020145741.tif 000019
【図７】
2020145741.tif 000020
【図８】
2020145741.tif 000021
【図９】
2020145741.tif 000022
【図１０】
2020145741.tif 000023
【図１１】
2020145741.tif 000024
【図１２】
2020145741.tif 000025
【図１３】
2020145741.tif 000026
【図１４】
2020145741.tif 000027
【図１５】
2020145741.tif 000028
【図１６】
2020145741.tif 000029
【図１７】
2020145741.tif 000030
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
無線通信システムにおいてＵＥ（user equipment）がＰＵＣＣＨ（Physical Uplink Control Channel）信号を送信する方法において、
シーケンス情報及びサイクリックシフト情報に基づいて前記ＰＵＣＣＨ信号を生成するステップであって、
前記シーケンス情報は、関連する周波数ホップインデックス、関連するスロット情報及び関連するＩＤ情報に基づいて決定され、
前記サイクリックシフト情報は、前記関連するスロット情報及び関連するシンボル情報に基づいて決定される、ステップと、
前記ＰＵＣＣＨ信号を基地局に送信するステップと、を含み、
前記ＩＤ情報は、セルＩＤ又は前記基地局から設定される値として決定され、
前記周波数ホップインデックスは、スロット内周波数ホップ設定に基づいて決定される、方法。
【請求項２】
スロット内で周波数ホッピングが設定されるとき、前記周波数ホップインデックスは、前記スロット内のホップに対して０からＮ（Ｎは自然数）まで順に番号付けされる、請求項１に記載の方法。
【請求項３】
スロット内で周波数ホッピングが設定されないとき、前記周波数ホップインデックスは、０として設定される、請求項１に記載の方法。
【請求項４】
シーケンスホッピングのパターンが適用される絶対的な時間単位は、適用されるニューマロロジーに従って異なるように設定される、請求項１に記載の方法。
【請求項５】
スロットは、１４個のシンボルを含む、請求項１に記載の方法。
【請求項６】
スロットは、スケジューリングの基本単位に対応する、請求項１に記載の方法。
【請求項７】
前記シーケンス情報は、周波数ホップの単位の中で独立に決定される、請求項１に記載の方法。
【請求項８】
前記シーケンス情報は、前記周波数ホップの単位の中で適用されるベースシーケンスホッピングパターンに関する情報である、請求項７に記載の方法。
【請求項９】
前記サイクリックシフト情報は、シンボルの単位の中で独立に決定される、請求項１に記載の方法。
【請求項１０】
前記シンボルの単位は、ＯＦＤＭ（Orthogonal Frequency Division Multiplexing）シンボルの単位に対応する、請求項９に記載の方法。
【請求項１１】
無線通信システムにおいて基地局がＵＥ（user equipment）からＰＵＣＣＨ（Physical Uplink Control Channel）信号を受信する方法において、
前記ＵＥから、シーケンス情報及びサイクリックシフト情報に基づいて生成された前記ＰＵＣＣＨ信号を受信するステップであって、
前記シーケンス情報は、関連する周波数ホップインデックス、関連するスロット情報及び関連するＩＤ情報に基づいて決定され、
前記サイクリックシフト情報は、前記関連するスロット情報及び関連するシンボル情報に基づいて決定される、ステップと、
前記生成されたＰＵＣＣＨ信号を基地局に送信するステップと、を含み、
前記ＩＤ情報は、セルＩＤ又は前記基地局から設定される値として決定され、
前記周波数ホップインデックスは、スロット内周波数ホップ設定に基づいて決定される、方法。
【請求項１２】
無線通信システムにおいてＰＵＣＣＨ（Physical Uplink Control Channel）信号を送信するＵＥ（user equipment）であって、
少なくとも一つのＲＦ（Radio Frequency）モジュールと、
少なくとも一つのプロセッサと、
前記少なくとも一つのプロセッサと動作可能に接続可能であり、命令を格納する少なくとも一つのメモリと、を含み、
前記命令は、実行されたときに、
シーケンス情報及びサイクリックシフト情報に基づいて前記ＰＵＣＣＨ信号を生成するステップであって、
前記シーケンス情報は、関連する周波数ホップインデックス、関連するスロット情報及び関連するＩＤ情報に基づいて決定され、
前記サイクリックシフト情報は、前記関連するスロット情報及び関連するシンボル情報に基づいて決定される、ステップと、
前記生成されたＰＵＣＣＨ信号を基地局に送信するステップであって、
前記ＩＤ情報は、セルＩＤ又は前記基地局から設定される値として決定され、
前記周波数ホップインデックスは、スロット内周波数ホップ設定に基づいて決定される、ステップと、
を含む動作を、前記少なくとも一つのプロセッサに実行させる、ＵＥ。